(57)【要約】  送信フレームのヘッダを生成することと、受信フレームのヘッダを処理することとを行うための装置。ヘッダ生成は、パリティビットを生成するためにヘッダデータビットを符号化することと、ヘッダビットをＭ回繰り返すことと、パリティビットをＮ回繰り返すことと、ヘッダビットのＭ回の繰返しを符号化することと、パリティビットのＮ回の繰返しを符号化することと、パリティビットのＮ回の繰返しとヘッダビットの符号化されたＭ回の繰返しを組み合わせることと、フレームのヘッダを生成するために組み合わされたシーケンスを変調することとを含む。ヘッダ処理は、ビットのシーケンスを生成するためにヘッダを復調することと、別個のヘッダシーケンス（header sequence）とパリティシーケンス（parity sequence）とにシーケンスを分割することと、Ｍ個のヘッダシーケンスとＮ個のパリティシーケンスとを生成するためにヘッダシーケンスとパリティシーケンスとを復号することと、Ｍ個のヘッダシーケンスを組み合わせることと、Ｎ個のパリティシーケンスを組み合わせることと、ヘッダデータビットを生成するために組み合わされたパリティシーケンスを使用して組み合わされたヘッダシーケンスを復号することとを含む。
2018534890.tif 000002
【特許請求の範囲】
【請求項１】
ワイヤレス通信のための装置であって、
複数のデータビットを少なくとも符号化することによって複数のパリティビットを生成することと、
前記データビットのＭ回の繰返しを備えるビットの第１のシーケンスを生成することと、
前記パリティビットのＮ回の繰返しを備えるビットの第２のシーケンスを生成することと、
ビットの前記第１のシーケンスと前記第２のシーケンスとに基づいてビットの第３のシーケンスを生成することと、
ビットの前記第３のシーケンスに基づいて変調シンボルのシーケンスを生成することと、
変調シンボルの前記シーケンスを備えるフレームを生成することと
を行うように構成された処理システムと、
送信のために前記フレームを出力するように構成されたインターフェースと
を備える、装置。
【請求項２】
前記フレームが、変調シンボルの前記シーケンスを含むヘッダを備える、請求項１に記載の装置。
【請求項３】
前記データビットの前記少なくとも符号化が、前記データビットの低密度パリティチェック（ＬＤＰＣ）符号化を実行することを備える、請求項１に記載の装置。
【請求項４】
前記処理システムが、ビットの第５のシーケンスで前記データビットを少なくともパディングすることによってビットの第４のシーケンスを生成するようにさらに構成された、ここにおいて、前記パリティビットの前記生成が、ビットの前記第４のシーケンスを符号化することを備える、請求項１に記載の装置。
【請求項５】
前記処理システムが、ビットの第５のシーケンスで前記データビットを少なくともパディングすることによってビットの第４のシーケンスを生成するようにさらに構成された、ここにおいて、前記パリティビットの前記生成が、ビットの前記第４のシーケンスの低密度パリティチェック（ＬＤＰＣ）符号化を実行することを備える、請求項１に記載の装置。
【請求項６】
ＭがＮとは異なる、請求項１に記載の装置。
【請求項７】
前記処理システムが、ビットの前記第１のシーケンスを符号化することによってビットの第４のシーケンスを生成するようにさらに構成された、ここにおいて、ビットの前記第３のシーケンスの前記生成が、ビットの前記第４のシーケンスに基づく、請求項１に記載の装置。
【請求項８】
ビットの前記第１のシーケンスの前記符号化が、ビットの前記第１のシーケンスのワンタイムパッド暗号化を実行することを備える、請求項７に記載の装置。
【請求項９】
ビットの前記第１のシーケンスの前記符号化が、ビットの前記第１のシーケンスのワンタイムパッドスクランブルを実行することを備える、請求項７に記載の装置。
【請求項１０】
前記処理システムが、ビットの前記第２のシーケンスを符号化することによってビットの第４のシーケンスを生成するようにさらに構成された、ここにおいて、ビットの前記第３のシーケンスの前記生成が、ビットの前記第４のシーケンスに基づく、請求項１に記載の装置。
【請求項１１】
ビットの前記第２のシーケンスの前記符号化が、ビットの前記第２のシーケンスのワンタイムパッド暗号化を実行することを備える、請求項１０に記載の装置。
【請求項１２】
ビットの前記第２のシーケンスの前記符号化が、ビットの前記第２のシーケンスのワンタイムパッドスクランブルを実行することを備える、請求項１０に記載の装置。
【請求項１３】
ビットの前記第３のシーケンスの前記生成が、ビットの前記第２のシーケンスでビットの前記第１のシーケンスをインターリーブすることを備える、請求項１に記載の装置。
【請求項１４】
ビットの前記第３のシーケンスの前記生成が、
ビットの第４のシーケンスを生成するためにビットの前記第１のシーケンスを符号化することと、
ビットの第５のシーケンスを生成するためにビットの前記第２のシーケンスを符号化することと、
ビットの前記第４のシーケンスと前記第５のシーケンスとをインターリーブすることと
を行うことを備える、請求項１に記載の装置。
【請求項１５】
ビットの前記第３のシーケンスの前記生成が、
ビットの第４のシーケンスを生成するためにビットの前記第１のシーケンスを符号化することと、
ビットの第５のシーケンスを生成するためにビットの前記第２のシーケンスを符号化することと、
ビットの前記第４のシーケンスと前記第５のシーケンスとをインターリーブすることによってビットの第６のシーケンスを生成することと、
ビットの第７のシーケンスでビットの前記第６のシーケンスをパディングすることと
を行うことを備える、請求項１に記載の装置。
【請求項１６】
変調シンボルの前記シーケンスの前記生成が、ビットの前記第３のシーケンスの４位相シフトキーイング（ＱＰＳＫ）変調を実行することを備える、請求項１に記載の装置。
【請求項１７】
ワイヤレス通信のための方法であって、
複数のデータビットを少なくとも符号化することによって複数のパリティビットを生成することと、
前記データビットのＭ回の繰返しを備えるビットの第１のシーケンスを生成することと、
前記パリティビットのＮ回の繰返しを備えるビットの第２のシーケンスを生成することと、
ビットの前記第１のシーケンスと前記第２のシーケンスとに基づいてビットの第３のシーケンスを生成することと、
ビットの前記第３のシーケンスに基づいて変調シンボルのシーケンスを生成することと、
変調シンボルの前記シーケンスを備えるフレームを生成することと、
送信のために前記フレームを出力することと
を備える、方法。
【請求項１８】
前記フレームが、変調シンボルの前記シーケンスを含むヘッダを備える、請求項１７に記載の方法。
【請求項１９】
前記データビットの前記少なくとも符号化が、前記データビットの低密度パリティチェック（ＬＤＰＣ）符号化を実行することを備える、請求項１７に記載の方法。
【請求項２０】
ビットの第５のシーケンスで前記データビットを少なくともパディングすることによってビットの第４のシーケンスを生成することをさらに備える、ここにおいて、前記パリティビットを生成することが、ビットの前記第４のシーケンスを符号化することを備える、請求項１７に記載の方法。
【請求項２１】
ビットの第５のシーケンスで前記データビットを少なくともパディングすることによってビットの第４のシーケンスを生成することをさらに備える、ここにおいて、前記パリティビットを生成することが、ビットの前記第４のシーケンスの低密度パリティチェック（ＬＤＰＣ）符号化を実行することを備える、請求項１７に記載の方法。
【請求項２２】
ＭがＮとは異なる、請求項１７に記載の方法。
【請求項２３】
ビットの前記第１のシーケンスを符号化することによってビットの第４のシーケンスを生成することをさらに備える、ここにおいて、ビットの前記第３のシーケンスを生成することが、ビットの前記第４のシーケンスに基づく、請求項１７に記載の方法。
【請求項２４】
ビットの前記第１のシーケンスの前記符号化が、ビットの前記第１のシーケンスのワンタイムパッド暗号化を実行することを備える、請求項２３に記載の方法。
【請求項２５】
ビットの前記第１のシーケンスの前記符号化が、ビットの前記第１のシーケンスのワンタイムパッドスクランブルを実行することを備える、請求項２３に記載の方法。
【請求項２６】
ビットの前記第２のシーケンスを符号化することによってビットの第４のシーケンスを生成することをさらに備える、ここにおいて、ビットの前記第３のシーケンスを生成することが、ビットの前記第４のシーケンスに基づく、請求項１７に記載の方法。
【請求項２７】
ビットの前記第２のシーケンスを符号化することが、ビットの前記第２のシーケンスのワンタイムパッド暗号化を実行することを備える、請求項２６に記載の方法。
【請求項２８】
ビットの前記第２のシーケンスを符号化することが、ビットの前記第２のシーケンスのワンタイムパッドスクランブルを実行することを備える、請求項２６に記載の方法。
【請求項２９】
ビットの前記第３のシーケンスを生成することが、ビットの前記第２のシーケンスでビットの前記第１のシーケンスをインターリーブすることを備える、請求項１７に記載の方法。
【請求項３０】
ビットの前記第３のシーケンスを生成することが、
ビットの第４のシーケンスを生成するためにビットの前記第１のシーケンスを符号化することと、
ビットの第５のシーケンスを生成するためにビットの前記第２のシーケンスを符号化することと、
ビットの前記第４のシーケンスと前記第５のシーケンスとをインターリーブすることと
を行うことを備える、請求項１７に記載の方法。
【請求項３１】
ビットの前記第３のシーケンスを生成することが、
ビットの第４のシーケンスを生成するためにビットの前記第１のシーケンスを符号化することと、
ビットの第５のシーケンスを生成するためにビットの前記第２のシーケンスを符号化することと、
ビットの前記第４のシーケンスと前記第５のシーケンスとをインターリーブすることによってビットの第６のシーケンスを生成することと、
ビットの第７のシーケンスでビットの前記第６のシーケンスをパディングすることと
を行うことを備える、請求項１７に記載の方法。
【請求項３２】
変調シンボルの前記シーケンスを生成することが、ビットの前記第３のシーケンスの４位相シフトキーイング（ＱＰＳＫ）変調を実行することを備える、請求項１７に記載の方法。
【請求項３３】
ワイヤレス通信のための装置であって、
複数のデータビットを符号化するための手段を備える複数のパリティビットを生成するための手段と、
前記データビットのＭ回の繰返しを備えるビットの第１のシーケンスを生成するための手段と、
前記パリティビットのＮ回の繰返しを備えるビットの第２のシーケンスを生成するための手段と、
ビットの前記第１のシーケンスと前記第２のシーケンスとに基づいてビットの第３のシーケンスを生成するための手段と、
ビットの前記第３のシーケンスに基づいて変調シンボルのシーケンスを生成するための手段と、
変調シンボルの前記シーケンスを備えるフレームを生成するための手段と、
送信のために前記フレームを出力するための手段と
を備える、装置。
【請求項３４】
前記フレームが、変調シンボルの前記シーケンスを含むヘッダを備える、請求項３３に記載の装置。
【請求項３５】
前記データビットを符号化するための前記手段が、前記データビットの低密度パリティチェック（ＬＤＰＣ）符号化を実行するための手段を備える、請求項３３に記載の装置。
【請求項３６】
ビットの第５のシーケンスで前記データビットを少なくともパディングすることによってビットの第４のシーケンスを生成するための手段をさらに備える、ここにおいて、前記パリティビットを生成するための前記手段が、ビットの前記第４のシーケンスを符号化するための手段を備える、請求項３３に記載の装置。
【請求項３７】
ビットの第５のシーケンスで前記データビットを少なくともパディングすることによってビットの第４のシーケンスを生成するための手段をさらに備える、ここにおいて、前記パリティビットを生成するための前記手段が、ビットの前記第４のシーケンスの低密度パリティチェック（ＬＤＰＣ）符号化を実行するための手段を備える、請求項３３に記載の装置。
【請求項３８】
ＭがＮとは異なる、請求項３３に記載の装置。
【請求項３９】
ビットの前記第１のシーケンスを符号化するための手段を含むビットの第４のシーケンスを生成するための手段をさらに備える、ここにおいて、ビットの前記第３のシーケンスが、ビットの前記第４のシーケンスに基づく、請求項３３に記載の装置。
【請求項４０】
ビットの前記第１のシーケンスを符号化するための前記手段が、ビットの前記第１のシーケンスのワンタイムパッド暗号化を実行するための手段を備える、請求項３９に記載の装置。
【請求項４１】
ビットの前記第１のシーケンスを符号化するための前記手段が、ビットの前記第１のシーケンスのワンタイムパッドスクランブルを実行するための手段を備える、請求項３９に記載の装置。
【請求項４２】
ビットの前記第２のシーケンスを符号化するための手段を含むビットの第４のシーケンスを生成するための手段をさらに備える、ここにおいて、ビットの前記第３のシーケンスが、ビットの前記第４のシーケンスに基づく、請求項３３に記載の装置。
【請求項４３】
ビットの前記第２のシーケンスを符号化するための前記手段が、ビットの前記第２のシーケンスのワンタイムパッド暗号化を実行するための手段を備える、請求項４２に記載の装置。
【請求項４４】
ビットの前記第２のシーケンスを符号化するための前記手段が、ビットの前記第２のシーケンスのワンタイムパッドスクランブルを実行するための手段を備える、請求項４２に記載の装置。
【請求項４５】
ビットの前記第３のシーケンスを生成するための前記手段が、ビットの前記第２のシーケンスでビットの前記第１のシーケンスをインターリーブするための手段を備える、請求項３３に記載の装置。
【請求項４６】
ビットの前記第３のシーケンスを生成するための前記手段が、
ビットの第４のシーケンスを生成するためにビットの前記第１のシーケンスを符号化するための手段と、
ビットの第５のシーケンスを生成するためにビットの前記第２のシーケンスを符号化するための手段と、
ビットの前記第４のシーケンスと前記第５のシーケンスとをインターリーブするための手段と
を備える、請求項３３に記載の装置。
【請求項４７】
ビットの前記第３のシーケンスを生成するための前記手段が、
ビットの第４のシーケンスを生成するためにビットの前記第１のシーケンスを符号化するための手段と、
ビットの第５のシーケンスを生成するためにビットの前記第２のシーケンスを符号化するための手段と、
ビットの前記第４のシーケンスと前記第５のシーケンスとをインターリーブすることによってビットの第６のシーケンスを生成するための手段と、
ビットの第７のシーケンスでビットの前記第６のシーケンスをパディングするための手段と
を備える、請求項３３に記載の装置。
【請求項４８】
変調シンボルの前記シーケンスを生成するための前記手段が、ビットの前記第３のシーケンスの４位相シフトキーイング（ＱＰＳＫ）変調を実行するための手段を備える、請求項３３に記載の装置。
【請求項４９】
コンピュータ可読媒体であって、
複数のデータビットを少なくとも符号化することによって複数のパリティビットを生成することと、
前記データビットのＭ回の繰返しを備えるビットの第１のシーケンスを生成することと、
前記パリティビットのＮ回の繰返しを備えるビットの第２のシーケンスを生成することと、
ビットの前記第１のシーケンスと前記第２のシーケンスとに基づいてビットの第３のシーケンスを生成することと、
ビットの前記第３のシーケンスに基づいて変調シンボルのシーケンスを生成することと、
変調シンボルの前記シーケンスを備えるフレームを生成することと、
送信のために前記フレームを出力することと
を行うための命令を記憶したコンピュータ可読媒体。
【請求項５０】
ワイヤレスノードであって、
少なくとも１つのアンテナと、
複数のデータビットを少なくとも符号化することによって複数のパリティビットを生成することと、
前記データビットのＭ回の繰返しを備えるビットの第１のシーケンスを生成することと、
前記パリティビットのＮ回の繰返しを備えるビットの第２のシーケンスを生成することと、
ビットの前記第１のシーケンスと前記第２のシーケンスとに基づいてビットの第３のシーケンスを生成することと、
ビットの前記第３のシーケンスに基づいて変調シンボルのシーケンスを生成することと、
変調シンボルの前記シーケンスを備えるフレームを生成することと
を行うように構成された処理システムと、
前記少なくとも１つのアンテナを介した送信のために前記フレームを出力するように構成されたインターフェースと
を備える、ワイヤレスノード。
【請求項５１】
ワイヤレス通信のための装置であって、
変調シンボルのシーケンスを備えるフレームを受信することと、
変調シンボルの前記シーケンスに基づいてビットの第１のシーケンスを生成することと、
ビットの前記第１のシーケンスに基づいてビットのＭ個のシーケンスを生成することと、
ビットの前記第１のシーケンスに基づいてビットのＮ個のシーケンスを生成することと、
ビットの前記Ｍ個のシーケンスに基づいてビットの第２のシーケンスを生成することと、
ビットの前記Ｎ個のシーケンスに基づいてビットの第３のシーケンスを生成することと、
ビットの前記第３のシーケンスに少なくとも基づいてビットの前記第２のシーケンスを少なくとも復号することによってデータビットを生成することと
を行うように構成された処理システム
を備える、装置。
【請求項５２】
ビットの前記第１のシーケンスの前記生成が、変調シンボルの前記シーケンスを復調することを備える、請求項５１に記載の装置。
【請求項５３】
ビットの前記第１のシーケンスの前記生成が、変調シンボルの前記シーケンスの４位相シフトキーイング（ＱＰＳＫ）復調を実行することを備える、請求項５１に記載の装置。
【請求項５４】
前記処理システムが、ビットの前記第１のシーケンスをデインターリーブすることによってビットの第４のシーケンスとビットの第５のシーケンスとを生成するようにさらに構成された、ここにおいて、ビットの前記Ｍ個のシーケンスが、ビットの前記第４のシーケンスに基づく、ここにおいて、ビットの前記Ｎ個のシーケンスが、ビットの前記第５のシーケンスに基づく、請求項５１に記載の装置。
【請求項５５】
前記処理システムが、ビットの前記第４のシーケンスを復号することによってビットの第６のシーケンスを生成するようにさらに構成された、ここにおいて、ビットの前記Ｍ個のシーケンスが、ビットの前記第６のシーケンスに基づく、請求項５４に記載の装置。
【請求項５６】
ビットの前記第４のシーケンスの前記復号が、ビットの前記第４のシーケンスのワンタイムパッド解読を実行することを備える、請求項５５に記載の装置。
【請求項５７】
ビットの前記第４のシーケンスの前記復号が、ビットの前記第４のシーケンスのワンタイムパッド逆スクランブルを実行することを備える、請求項５５に記載の装置。
【請求項５８】
前記処理システムが、ビットの前記第５のシーケンスを復号することによってビットの第６のシーケンスを生成するようにさらに構成された、ここにおいて、ビットの前記Ｎ個のシーケンスが、ビットの前記第６のシーケンスに基づく、請求項５４に記載の装置。
【請求項５９】
ビットの前記第５のシーケンスの前記復号が、ビットの前記第５のシーケンスのワンタイムパッド解読を実行することを備える、請求項５８に記載の装置。
【請求項６０】
ビットの前記第５のシーケンスの前記復号が、ビットの前記第５のシーケンスのワンタイムパッド逆スクランブルを実行することを備える、請求項５８に記載の装置。
【請求項６１】
前記データビットが、前記フレームのヘッダビットを備える、請求項５１に記載の装置。
【請求項６２】
ビットの前記Ｍ個のシーケンスの各々が、データビットに基づく、請求項５１に記載の装置。
【請求項６３】
ビットの前記Ｎ個のシーケンスの各々が、パリティビットに基づく、請求項５１に記載の装置。
【請求項６４】
ＭがＮとは異なる、請求項５１に記載の装置。
【請求項６５】
前記処理システムが、ビットの前記Ｍ個のシーケンスの最大比合成（ＭＲＣ）を実行することによってビットの前記第２のシーケンスを生成するようにさらに構成された、請求項５１に記載の装置。
【請求項６６】
前記処理システムが、ビットの前記Ｎ個のシーケンスの最大比合成（ＭＲＣ）を実行することによってビットの前記第３のシーケンスを生成するようにさらに構成された、請求項５１に記載の装置。
【請求項６７】
前記処理システムが、ビットの前記第２のシーケンスにビットの第５のシーケンスを付加することによってビットの第４のシーケンスを生成するように構成された、ここにおいて、前記データビットの前記生成が、ビットの前記第３のシーケンスに基づいてビットの前記第４のシーケンスを復号することを備える、請求項５１に記載の装置。
【請求項６８】
前記データビットの前記生成が、ビットの前記第２のシーケンスの低密度パリティチェック（ＬＤＰＣ）復号を実行することを備える、請求項５１に記載の装置。
【請求項６９】
ビットの前記第２のシーケンスが、対数尤度比（ＬＬＲ）ビットを備える、ここにおいて、ビットの前記第３のシーケンスが、ＬＬＲビットを備える、請求項５１に記載の装置。
【請求項７０】
ワイヤレス通信のための方法であって、
変調シンボルのシーケンスを備えるフレームを受信することと、
変調シンボルの前記シーケンスに基づいてビットの第１のシーケンスを生成することと、
ビットの前記第１のシーケンスに基づいてビットのＭ個のシーケンスを生成することと、
ビットの前記第１のシーケンスに基づいてビットのＮ個のシーケンスを生成することと、
ビットの前記Ｍ個のシーケンスに基づいてビットの第２のシーケンスを生成することと、
ビットの前記Ｎ個のシーケンスに基づいてビットの第３のシーケンスを生成することと、
ビットの前記第３のシーケンスに少なくとも基づいてビットの前記第２のシーケンスを少なくとも復号することによってデータビットを生成することと
を備える、方法。
【請求項７１】
ビットの前記第１のシーケンスを生成することが、変調シンボルの前記シーケンスを復調することを備える、請求項７０に記載の方法。
【請求項７２】
ビットの前記第１のシーケンスを生成することが、変調シンボルの前記シーケンスの４位相シフトキーイング（ＱＰＳＫ）復調を実行することを備える、請求項７０に記載の方法。
【請求項７３】
ビットの前記第１のシーケンスをデインターリーブすることによってビットの第４のシーケンスとビットの第５のシーケンスとを生成することをさらに備える、ここにおいて、ビットの前記Ｍ個のシーケンスが、ビットの前記第４のシーケンスに基づく、ここにおいて、ビットの前記Ｎ個のシーケンスが、ビットの前記第５のシーケンスに基づく、請求項７０に記載の方法。
【請求項７４】
ビットの前記第４のシーケンスを復号することによってビットの第６のシーケンスを生成することをさらに備える、ここにおいて、ビットの前記Ｍ個のシーケンスが、ビットの前記第６のシーケンスに基づく、請求項７３に記載の方法。
【請求項７５】
ビットの前記第４のシーケンスの前記復号が、ビットの前記第４のシーケンスのワンタイムパッド解読を実行することを備える、請求項７４に記載の方法。
【請求項７６】
ビットの前記第４のシーケンスの前記復号が、ビットの前記第４のシーケンスのワンタイムパッド逆スクランブルを実行することを備える、請求項７４に記載の方法。
【請求項７７】
ビットの前記第５のシーケンスを復号することによってビットの第６のシーケンスを生成することをさらに備える、ここにおいて、ビットの前記Ｎ個のシーケンスが、ビットの前記第６のシーケンスに基づく、請求項７３に記載の方法。
【請求項７８】
ビットの前記第５のシーケンスの前記復号が、ビットの前記第５のシーケンスのワンタイムパッド解読を実行することを備える、請求項７７に記載の方法。
【請求項７９】
ビットの前記第５のシーケンスの前記復号が、ビットの前記第５のシーケンスのワンタイムパッド逆スクランブルを実行することを備える、請求項７７に記載の方法。
【請求項８０】
前記データビットが、前記フレームのヘッダビットを備える、請求項７０に記載の方法。
【請求項８１】
ビットの前記Ｍ個のシーケンスの各々が、データビットに基づく、請求項７０に記載の方法。
【請求項８２】
ビットの前記Ｎ個のシーケンスの各々が、パリティビットに基づく、請求項７０に記載の方法。
【請求項８３】
ＭがＮとは異なる、請求項７０に記載の方法。
【請求項８４】
ビットの前記第２のシーケンスを生成することが、ビットの前記Ｍ個のシーケンスの最大比合成（ＭＲＣ）を実行することを備える、請求項７０に記載の方法。
【請求項８５】
ビットの前記第３のシーケンスを生成することが、ビットの前記Ｎ個のシーケンスの最大比合成（ＭＲＣ）を実行することを備える、請求項７０に記載の方法。
【請求項８６】
ビットの前記第２のシーケンスにビットの第５のシーケンスを付加することによってビットの第４のシーケンスを生成することをさらに備える、ここにおいて、前記データビットを生成することが、ビットの前記第３のシーケンスに基づいてビットの前記第４のシーケンスを復号することを備える、請求項７０に記載の方法。
【請求項８７】
前記データビットを生成することが、ビットの前記第２のシーケンスの低密度パリティチェック（ＬＤＰＣ）復号を実行することを備える、請求項７０に記載の方法。
【請求項８８】
ビットの前記第２のシーケンスが、対数尤度比（ＬＬＲ）ビットを備え、ビットの前記第３のシーケンスが、ＬＬＲビットを備える、請求項７０に記載の方法。
【請求項８９】
ワイヤレス通信のための装置であって、
変調シンボルのシーケンスを備えるフレームを受信するための手段と、
変調シンボルの前記シーケンスに基づいてビットの第１のシーケンスを生成するための手段と、
ビットの前記第１のシーケンスに基づいてビットのＭ個のシーケンスを生成するための手段と、
ビットの前記第１のシーケンスに基づいてビットのＮ個のシーケンスを生成するための手段と、
ビットの前記Ｍ個のシーケンスに基づいてビットの第２のシーケンスを生成するための手段と、
ビットの前記Ｎ個のシーケンスに基づいてビットの第３のシーケンスを生成するための手段と、
ビットの前記第３のシーケンスに少なくとも基づいてビットの前記第２のシーケンスを少なくとも復号することによってデータビットを生成するための手段と
を備える、装置。
【請求項９０】
ビットの前記第１のシーケンスを生成するための前記手段が、変調シンボルの前記シーケンスを復調するための手段を備える、請求項８９に記載の装置。
【請求項９１】
ビットの前記第１のシーケンスを生成するための前記手段が、変調シンボルの前記シーケンスの４位相シフトキーイング（ＱＰＳＫ）復調を実行するための手段を備える、請求項８９に記載の装置。
【請求項９２】
ビットの前記第１のシーケンスをデインターリーブすることによってビットの第４のシーケンスとビットの第５のシーケンスとを生成するための手段をさらに備える、ここにおいて、ビットの前記Ｍ個のシーケンスが、ビットの前記第４のシーケンスに基づく、ここにおいて、ビットの前記Ｎ個のシーケンスが、ビットの前記第５のシーケンスに基づく、請求項８９に記載の装置。
【請求項９３】
ビットの前記第４のシーケンスを復号するための手段をさらに備える、ここにおいて、ビットの前記Ｍ個のシーケンスが、ビットの前記復号された第４のシーケンスに基づく、請求項９２に記載の装置。
【請求項９４】
ビットの前記第４のシーケンスを復号するための前記手段が、ビットの前記第４のシーケンスのワンタイムパッド解読を実行するための手段を備える、請求項９３に記載の装置。
【請求項９５】
ビットの前記第４のシーケンスを復号するための前記手段が、ビットの前記第４のシーケンスのワンタイムパッド逆スクランブルを実行するための手段を備える、請求項９３に記載の装置。
【請求項９６】
ビットの前記第５のシーケンスを復号するための手段をさらに備える、ここにおいて、ビットの前記Ｎ個のシーケンスが、ビットの前記復号された第５のシーケンスに基づく、請求項９２に記載の装置。
【請求項９７】
ビットの前記第５のシーケンスを復号するための前記手段が、ビットの前記第５のシーケンスのワンタイムパッド解読を実行するための手段を備える、請求項９６に記載の装置。
【請求項９８】
ビットの前記第５のシーケンスを復号するための前記手段が、ビットの前記第５のシーケンスのワンタイムパッド逆スクランブルを実行するための手段を備える、請求項９６に記載の装置。
【請求項９９】
前記データビットが、前記フレームのヘッダビットを備える、請求項８９に記載の装置。
【請求項１００】
ビットの前記Ｍ個のシーケンスの各々が、データビットに基づく、請求項８９に記載の装置。
【請求項１０１】
ビットの前記Ｎ個のシーケンスの各々が、パリティビットに基づく、請求項８９に記載の装置。
【請求項１０２】
ＭがＮとは異なる、請求項８９に記載の装置。
【請求項１０３】
ビットの前記第２のシーケンスを生成するための前記手段が、ビットの前記Ｍ個のシーケンスの最大比合成（ＭＲＣ）を実行するための手段を備える、請求項８９に記載の装置。
【請求項１０４】
ビットの前記第３のシーケンスを生成するための前記手段が、ビットの前記Ｎ個のシーケンスの最大比合成（ＭＲＣ）を実行するための手段を備える、請求項８９に記載の装置。
【請求項１０５】
ビットの前記第２のシーケンスにビットの複数の第５のシーケンスを付加するための手段を含むビットの第４のシーケンスを生成するための手段をさらに備える、ここにおいて、前記データビットを生成するための前記手段が、ビットの前記第３のシーケンスに基づいてビットの前記第４のシーケンスを復号するための手段を備える、請求項８９に記載の装置。
【請求項１０６】
前記データビットを生成するための前記手段が、ビットの前記第２のシーケンスの低密度パリティチェック（ＬＤＰＣ）復号を実行するための手段を備える、請求項８９に記載の装置。
【請求項１０７】
ビットの前記第２のシーケンスが、対数尤度比（ＬＬＲ）ビットを備え、ビットの前記第３のシーケンスが、ＬＬＲビットを備える、請求項８９に記載の装置。
【請求項１０８】
コンピュータ可読媒体であって、
変調シンボルのシーケンスを備えるフレームを受信することと、
変調シンボルの前記シーケンスに基づいてビットの第１のシーケンスを生成することと、
ビットの前記第１のシーケンスに基づいてビットのＭ個のシーケンスを生成することと、
ビットの前記第１のシーケンスに基づいてビットのＮ個のシーケンスを生成することと、
ビットの前記Ｍ個のシーケンスに基づいてビットの第２のシーケンスを生成することと、
ビットの前記Ｎ個のシーケンスに基づいてビットの第３のシーケンスを生成することと、
ビットの前記第３のシーケンスに少なくとも基づいてビットの前記第２のシーケンスを少なくとも復号することによってデータビットを生成することと
を行うための命令を記憶したコンピュータ可読媒体。
【請求項１０９】
ワイヤレスノードであって、
少なくとも１つのアンテナと、
前記少なくとも１つのアンテナを介して変調シンボルのシーケンスを備えるフレームを受信することと、
変調シンボルの前記シーケンスに基づいてビットの第１のシーケンスを生成することと、
ビットの前記第１のシーケンスに基づいてビットのＭ個のシーケンスを生成することと、
ビットの前記第１のシーケンスに基づいてビットのＮ個のシーケンスを生成することと、
ビットの前記Ｍ個のシーケンスに基づいてビットの第２のシーケンスを生成することと、
ビットの前記Ｎ個のシーケンスに基づいてビットの第３のシーケンスを生成することと、
ビットの前記第３のシーケンスに少なくとも基づいてビットの前記第２のシーケンスを少なくとも復号することによってデータビットを生成することと
を行うように構成された処理システムと
を備える、ワイヤレスノード。
【発明の詳細な説明】
【技術分野】
【０００１】
関連出願の相互参照
[0001]  本出願は、その内容全体が参照により本明細書に組み込まれる、２０１５年１１月１１日に米国特許庁に出願された仮出願番号第６２／２５４，１２１号、２０１５年１１月６日に米国特許庁に出願された仮出願番号第６２／２５２，３７８号、および非仮出願第１５／３４２，７８８号の利益および優先権を主張する。
【０００２】
[0002]  本開示のいくつかの態様は、一般にワイヤレス通信（wireless communication）に関し、より詳細には、フレーム（frame）のヘッダデータ部分（header data portion）を符号化（encode）および復号（decode）するためのシステムおよび方法に関する。
【背景技術】
【０００３】
[0003]  新たに設計されるフレームの使用によってデータスループット（data throughput）を増加させるために、米国電気電子技術者協会（ＩＥＥＥ）８０２．１１ａｙとして暫定的に識別される、ＩＥＥＥ８０２．１１の下の新しいプロトコル（protocol）が開発されている。新しいプロトコルの目的は、プロトコル８０２．１１ａｄとの後方互換性（backwards compatibility）を与えることである。すなわち、８０２．１１ａｄの下で動作するデバイスは、提案された新しいプロトコルに従ってフレームの一部を復号することが可能であり得る。
【０００４】
[0004]  したがって、提案された新しいプロトコルによるフレームが、プリアンブル（ショートトレーニングフィールド（ＳＴＦ：short training field）およびチャネル推定シーケンス（ＣＥＳ：channel estimation sequence））および８０２．１１ａｄヘッダ（header）など、８０２．１１ａｄフレームの少なくとも一部分を含むことが提案されている。８０２．１１ａｄの下で動作するデバイスは、通信チャネルがいつ利用可能であるのかをデバイスが知るようにフレームの持続時間（duration）を決定する（たとえば、ネットワーク割振りベクトル（ＮＡＶ：network allocation vector）を計算する）ために提案された新しいプロトコルに従ってフレームの８０２．１１ａｄ部分を復号することが可能であり得る。
【０００５】
[0005]  提案された新しいプロトコルによるフレームは、８０２．１１ａｄによるフレームよりも高いデータスループット（data throughput）のために構成される。たとえば、より多くの数のコンスタレーション（constellation）をもつ変調方式が利用可能であり得る。また、フレームは、８０２．１１ａｄによる２つ以上のチャネルの帯域幅にわたる周波数帯域幅を有する結合チャネル（bonded channel）を介して送信され得る。追加の特徴のために、提案された新しいプロトコルによるフレームは、フレームのパラメータに関する情報を与えるための、拡張方向性マルチギガビット（ＥＤＭＧ：Extended Directional Multigigabit）ヘッダと仮に呼ばれるそれ自体のヘッダを含む。
【０００６】
[0006]  説明したように、提案された新しいプロトコルによるフレームは、より高いデータスループットを容易にする追加の特徴を含む。そのような特徴のうちの少なくとも１つは、フレームのＥＤＭＧヘッダに適用可能である。すなわち、提案された新しいプロトコルによれば、４位相シフトキーイング（ＱＰＳＫ：quadrature phase shift keying）変調が、フレームのＥＤＭＧヘッダを送信するために利用可能であり得る。受信デバイスは、概して、フレームの他の部分（たとえば、データペイロード部分）を復号するためにフレームのヘッダを復号する必要があるので、受信デバイスによるヘッダ部分の復号におけるより高い信頼性（higher reliability）のためにフレームのヘッダ部分を構成することが望ましい。
【発明の概要】
【０００７】
[0007]  本開示のいくつかの態様は、ワイヤレス通信のための装置（apparatus）を提供する。本装置は、複数のデータビット（data bit）を少なくとも符号化することによって複数のパリティビットを生成（generate）することと、データビットのＭ回の繰返し（repetition）を備えるビット（bit）の第１のシーケンス（sequence）を生成することと、パリティビットのＮ回の繰返しを備えるビットの第２のシーケンスを生成することと、ビットの第１のシーケンスと第２のシーケンスとに基づいてビットの第３のシーケンスを生成することと、ビットの第３のシーケンスに基づいて変調シンボル（modulation symbol）のシーケンスを生成することと、変調シンボルのシーケンスを備えるフレームを生成することとを行うように構成された処理システム（processing system）を備える。本装置は、送信のためにフレームを出力するように構成されたインターフェース（interface）をさらに備える。
【０００８】
[0008]  本開示のいくつかの態様は、ワイヤレス通信のための方法を提供する。本方法は、複数のデータビットを少なくとも符号化することによって複数のパリティビット（parity bit）を生成することと、データビットのＭ回の繰返しを備えるビットの第１のシーケンスを生成することと、パリティビットのＮ回の繰返しを備えるビットの第２のシーケンスを生成することと、ビットの第１のシーケンスと第２のシーケンスとに基づいてビットの第３のシーケンスを生成することと、ビットの第３のシーケンスに基づいて変調シンボルのシーケンスを生成することと、変調シンボルのシーケンスを備えるフレームを生成することと、送信のためにフレームを出力することとを備える。
【０００９】
[0009]  本開示のいくつかの態様は、ワイヤレス通信のための装置を提供する。本装置は、複数のデータビットを符号化するための手段を備える複数のパリティビットを生成するための手段と、データビットのＭ回の繰返しを備えるビットの第１のシーケンスを生成するための手段と、パリティビットのＮ回の繰返しを備えるビットの第２のシーケンスを生成するための手段と、ビットの第１のシーケンスと第２のシーケンスとに基づいてビットの第３のシーケンスを生成するための手段と、ビットの第３のシーケンスに基づいて変調シンボルのシーケンスを生成するための手段と、変調シンボルのシーケンスを備えるフレームを生成するための手段と、送信のためにフレームを出力するための手段とを備える。
【００１０】
[0010]  本開示のいくつかの態様は、複数のデータビットを少なくとも符号化することによって複数のパリティビットを生成することと、データビットのＭ回の繰返しを備えるビットの第１のシーケンスを生成することと、パリティビットのＮ回の繰返しを備えるビットの第２のシーケンスを生成することと、ビットの第１のシーケンスと第２のシーケンスとに基づいてビットの第３のシーケンスを生成することと、ビットの第３のシーケンスに基づいて変調シンボルのシーケンスを生成することと、変調シンボルのシーケンスを備えるフレームを生成することと、送信のためにフレームを出力することとを行うための命令を記憶したコンピュータ可読媒体（computer readable medium）を提供する。
【００１１】
[0011]  本開示のいくつかの態様はワイヤレスノード（wireless node）を提供する。ワイヤレスノードは、少なくとも１つのアンテナを備える。ワイヤレスノードは、複数のデータビットを少なくとも符号化することによって複数のパリティビットを生成することと、データビットのＭ回の繰返しを備えるビットの第１のシーケンスを生成することと、パリティビットのＮ回の繰返しを備えるビットの第２のシーケンスを生成することと、ビットの第１のシーケンスと第２のシーケンスとに基づいてビットの第３のシーケンスを生成することと、ビットの第３のシーケンスに基づいて変調シンボルのシーケンスを生成することと、変調シンボルのシーケンスを備えるフレームを生成することとを行うように構成された処理システムをさらに備える。さらに、ワイヤレスノードは、送信のためにフレームを出力するように構成されたインターフェースをさらに備える。
【００１２】
[0012]  本開示のいくつかの態様は、ワイヤレス通信のための装置を提供する。本装置は、変調シンボルのシーケンスを備える受信フレームを受信することと、変調シンボルのシーケンスに基づいてビットの第１のシーケンスを生成することと、ビットの第１のシーケンスに基づいてビットのＭ個のシーケンスを生成することと、ビットの第１のシーケンスに基づいてビットのＮ個のシーケンスを生成することと、ビットのＭ個のシーケンスに基づいてビットの第２のシーケンスを生成することと、ビットのＮ個のシーケンスに基づいてビットの第３のシーケンスを生成することと、ビットの第３のシーケンスに少なくとも基づいてビットの第２のシーケンスを少なくとも復号することによってデータビットを生成することとを行うように構成された処理システムを備える。
【００１３】
[0013]  本開示のいくつかの態様は、ワイヤレス通信のための方法を提供する。本方法は、変調シンボルのシーケンスを備えるフレームを受信することと、ビットの第１のシーケンスに基づいてビットのＭ個のシーケンスを生成することと、ビットの第１のシーケンスに基づいてビットのＮ個のシーケンスを生成することと、ビットのＭ個のシーケンスに基づいてビットの第２のシーケンスを生成することと、ビットのＮ個のシーケンスに基づいてビットの第３のシーケンスを生成することと、ビットの第３のシーケンスに少なくとも基づいてビットの第２のシーケンスを少なくとも復号することによってデータビットを生成することとを備える。
【００１４】
[0014]  本開示のいくつかの態様は、ワイヤレス通信のための装置を提供する。本装置は、変調シンボルのシーケンスを備えるフレームを受信するための手段と、変調シンボルのシーケンスに基づいてビットの第１のシーケンスを生成するための手段と、ビットの第１のシーケンスに基づいてビットのＭ個のシーケンスを生成するための手段と、ビットの第１のシーケンスに基づいてビットのＮ個のシーケンスを生成するための手段と、ビットのＭ個のシーケンスに基づいてビットの第２のシーケンスを生成するための手段と、ビットのＮ個のシーケンスに基づいてビットの第３のシーケンスを生成するための手段と、ビットの第３のシーケンスに少なくとも基づいてビットの第２のシーケンスを少なくとも復号することによってデータビットを生成するための手段とを備える。
【００１５】
[0015]  本開示のいくつかの態様は、変調シンボルのシーケンスを備えるフレームを受信することと、変調シンボルのシーケンスに基づいてビットの第１のシーケンスを生成することと、ビットの第１のシーケンスに基づいてビットのＭ個のシーケンスを生成することと、ビットの第１のシーケンスに基づいてビットのＮ個のシーケンスを生成することと、ビットのＭ個のシーケンスに基づいてビットの第２のシーケンスを生成することと、ビットのＮ個のシーケンスに基づいてビットの第３のシーケンスを生成することと、ビットの第３のシーケンスに少なくとも基づいてビットの第２のシーケンスを少なくとも復号することによってデータビットを生成することとを行うための命令を記憶したコンピュータ可読媒体を提供する。
【００１６】
[0016]  本開示のいくつかの態様は、ワイヤレスノードを提供する。ワイヤレスノードは、少なくとも１つのアンテナを備える。ワイヤレスノードは、少なくとも１つのアンテナを介して変調シンボルのシーケンスを備えるフレームを受信することと、変調シンボルのシーケンスに基づいてビットの第１のシーケンスを生成することと、ビットの第１のシーケンスに基づいてビットのＭ個のシーケンスを生成することと、ビットの第１のシーケンスに基づいてビットのＮ個のシーケンスを生成することと、ビットのＭ個のシーケンスに基づいてビットの第２のシーケンスを生成することと、ビットのＮ個のシーケンスに基づいてビットの第３のシーケンスを生成することと、ビットの第３のシーケンスに少なくとも基づいてビットの第２のシーケンスを少なくとも復号することによってデータビットを生成することとを行うように構成された処理システムをさらに備える。
【００１７】
[0017]  本開示の態様はまた、上記で説明した装置および動作に対応する様々な方法、手段、およびコンピュータプログラム製品を提供する。
【図面の簡単な説明】
【００１８】
【図１】[0018]  本開示のいくつかの態様による例示的なワイヤレス通信ネットワークの図。
【図２】[0019]  本開示のいくつかの態様による、互いに通信しているワイヤレスノードの例示的なペアのブロック図。
【図３Ａ】[0020]  本開示のいくつかの態様による例示的なフレームまたはフレーム部分を示す図。
【図３Ｂ】[0021]  本開示のいくつかの態様による例示的な拡張方向性マルチギガビット（ＥＤＭＧ：Extended Directional Multigigabit）ヘッダを示す図。
【図４】[0022]  本開示のいくつかの態様による、フレームを介した送信のためにヘッダビット（header bit）を符号化するための例示的な装置の図。
【図５】[0023]  本開示のいくつかの態様による、受信フレーム（received frame）のヘッダ部分を復号するための例示的な装置の図。
【図６Ａ】[0024]  本開示のいくつかの態様による、直交周波数分割多重化（ＯＦＤＭ：orthogonal frequency division multiplexing）送信を介したデータの送信のための例示的なフレームのセットを示す図。
【図６Ｂ】本開示のいくつかの態様による、直交周波数分割多重化（ＯＦＤＭ）送信を介したデータの送信のための例示的なフレームのセットを示す図。
【図６Ｃ】本開示のいくつかの態様による、直交周波数分割多重化（ＯＦＤＭ）送信を介したデータの送信のための例示的なフレームのセットを示す図。
【図６Ｄ】本開示のいくつかの態様による、直交周波数分割多重化（ＯＦＤＭ）送信を介したデータの送信のための例示的なフレームのセットを示す図。
【図７Ａ】[0025]  本開示のいくつかの態様による、直交周波数分割多重化（ＯＦＤＭ）送信を介したデータの送信のための例示的なフレームの別のセットを示す図。
【図７Ｂ】本開示のいくつかの態様による、直交周波数分割多重化（ＯＦＤＭ）送信を介したデータの送信のための例示的なフレームの別のセットを示す図。
【図７Ｃ】本開示のいくつかの態様による、直交周波数分割多重化（ＯＦＤＭ）送信を介したデータの送信のための例示的なフレームの別のセットを示す図。
【図８Ａ】[0026]  本開示のいくつかの態様による、直交周波数分割多重化（ＯＦＤＭ）送信を介したデータの送信のための例示的なフレームのまた別のセットを示す図。
【図８Ｂ】本開示のいくつかの態様による、直交周波数分割多重化（ＯＦＤＭ）送信を介したデータの送信のための例示的なフレームのまた別のセットを示す図。
【図８Ｃ】本開示のいくつかの態様による、直交周波数分割多重化（ＯＦＤＭ）送信を介したデータの送信のための例示的なフレームのまた別のセットを示す図。
【図９】[0027]  図９Ａ〜図９Ｃは、本開示のいくつかの態様による、シングルキャリア広帯域（ＳＣ  ＷＢ：single carrier wideband）送信を介したデータの送信のための例示的なフレームのセットを示す図。  [0028]  図９Ｄは、本開示のいくつかの態様による、図９Ａ〜図９Ｃの例示的なフレームのセットに関連する例示的な送信電力プロファイルを示す図。
【図１０】[0029]  図１０Ａ〜図１０Ｃは、本開示のいくつかの態様による、シングルキャリア広帯域（ＳＣ  ＷＢ）送信を介したデータの送信のための例示的なフレームの別のセットを示す図。  [0030]  図１０Ｄは、本開示のいくつかの態様による、図１０Ａ〜図１０Ｃの例示的なフレームのセットに関連する例示的な送信電力プロファイルを示す図。
【図１１】[0031]  図１１Ａ〜図１１Ｃは、本開示のいくつかの態様による、シングルキャリア広帯域（ＳＣ  ＷＢ）送信を介したデータの送信のための例示的なフレームのまた別のセットを示す図。  [0032]  図１１Ｄは、本開示のいくつかの態様による、図１１Ａ〜図１１Ｃの例示的なフレームのセットに関連する例示的な送信電力プロファイルを示す図。
【図１２Ａ】[0033]  本開示の別の態様による、ショートメッセージの送信のための例示的なフレームを示す図。
【図１２Ｂ】本開示の別の態様による、ショートメッセージの送信のための例示的なフレームを示す図。
【図１２Ｃ】本開示の別の態様による、ショートメッセージの送信のための例示的なフレームを示す図。
【図１２Ｄ】本開示の別の態様による、ショートメッセージの送信のための例示的なフレームを示す図。
【図１３Ａ】[0034]  本開示のいくつかの態様による、アグリゲートシングルキャリア（ＳＣ）送信を介したデータの送信のための例示的なフレームを示す図。
【図１３Ｂ】本開示のいくつかの態様による、アグリゲートシングルキャリア（ＳＣ）送信を介したデータの送信のための例示的なフレームを示す図。
【図１３Ｃ】本開示のいくつかの態様による、アグリゲートシングルキャリア（ＳＣ）送信を介したデータの送信のための例示的なフレームを示す図。
【図１３Ｄ】本開示のいくつかの態様による、アグリゲートシングルキャリア（ＳＣ）送信を介したデータの送信のための例示的なフレームを示す図。
【図１４】[0035]  本開示のいくつかの態様による、複数（たとえば、３つ）の空間多入力多出力（ＭＩＭＯ： multiple input multiple output）直交周波数分割多重化（ＯＦＤＭ）送信を介したデータの送信のための例示的なフレームを示す図。
【図１５Ａ】[0036]  本開示のいくつかの態様による、複数（たとえば、２つ）の空間多入力多出力（ＭＩＭＯ）シングルキャリア広帯域（ＳＣ  ＷＢ）送信を介したデータの送信のための例示的なフレームを示す図。
【図１５Ｂ】本開示のいくつかの態様による、複数（たとえば、４つ）の空間多入力多出力（ＭＩＭＯ）シングルキャリア広帯域（ＳＣ  ＷＢ）送信を介したデータの送信のための例示的なフレームを示す図。
【図１５Ｃ】本開示のいくつかの態様による、複数（たとえば、８つ）の空間多入力多出力（ＭＩＭＯ）シングルキャリア広帯域（ＳＣ  ＷＢ）送信を介したデータの送信のための例示的なフレームを示す図。
【図１６Ａ】[0037]  本開示のいくつかの態様による、複数（たとえば、２つ）の空間多入力多出力（ＭＩＭＯ）アグリゲートシングルキャリア（ＳＣ）送信を介したデータの送信のための例示的なフレームを示す図。
【図１６Ｂ】本開示のいくつかの態様による、複数（たとえば、３つ）の空間多入力多出力（ＭＩＭＯ）アグリゲートシングルキャリア（ＳＣ）送信を介したデータの送信のための例示的なフレームを示す図。
【図１７】[0038]  本開示のいくつかの態様による例示的なデバイスのブロック図。
【発明を実施するための形態】
【００１９】
[0039]  本開示の態様は、複数のチャネルの各々において送信されるチャネル推定トレーニングシーケンス（channel estimation training sequence）を使用することによって複数のチャネルを結合することによって形成される結合チャネルのチャネル推定（channel estimation）を実施するための技法を提供する。
【００２０】
[0040]  添付の図面を参照しながら、本開示の様々な態様について以下でより完全に説明する。ただし、本開示は、多くの異なる形態で具現化され得、本開示全体にわたって提示されるどのような特定の構造または機能にも限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わされるにせよ、本明細書で開示される本開示のいかなる態様をもカバーするものであることを、当業者は諒解されたい。たとえば、本明細書に記載される態様をいくつ使用しても、装置は実装され得、または方法は実施され得る。さらに、本開示の範囲は、本明細書に記載される本開示の様々な態様に加えてまたはそれらの態様以外に、他の構造、機能、または構造および機能を使用して実施されるそのような装置または方法をカバーするものである。本明細書で開示される本開示のいずれの態様も、請求項の１つまたは複数の要素によって実施され得ることを理解されたい。
【００２１】
[0041]  「例示的」という単語は、本明細書では「例、事例、または例示の働きをすること」を意味するために使用される。本明細書で「例示的」として説明するいずれの態様も、必ずしも、他の態様よりも好ましいまたは有利であると解釈されるべきでない。
【００２２】
[0042]  本明細書では特定の態様について説明するが、これらの態様の多くの変形および置換は本開示の範囲内に入る。好適な態様のいくつかの利益および利点について説明するが、本開示の範囲は、特定の利益、使用、または目的に限定されるものではない。むしろ、本開示の態様は、様々なワイヤレス技術、システム構成、ネットワーク、および送信プロトコルに広く適用可能であるものであり、それらのうちのいくつかは、例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００２３】
例示的なワイヤレス通信システム（AN EXAMPLE WIRELESS COMMUNICATION SYSTEM）
[0043]  本明細書で説明する技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアはデータで独立して変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００２４】
[0044]  本明細書の教示は、様々なワイヤードまたはワイヤレス装置（たとえば、ノード）に組み込まれ得る（たとえば、その装置内に実装されるか、またはその装置によって実施され得る）。いくつかの態様では、本明細書の教示に従って実装されるワイヤレスノードは、アクセスポイントまたはアクセス端末を備え得る。
【００２５】
[0045]  アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００２６】
[0046]  アクセス端末（「ＡＴ」）は、加入者局、加入者ユニット、移動局、リモート局、リモート端末、ユーザ端末、ユーザエージェント、ユーザデバイス、ユーザ機器、ユーザ局、または何らかの他の用語を備えるか、それらとして実装されるか、あるいはそれらとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスもしくはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を提供し得る。
【００２７】
[0047]  以下の説明に関して、アクセスポイントとユーザデバイスとの間の通信が可能にされるだけでなく、それぞれのユーザデバイス間の直接（たとえば、ピアツーピア）通信も可能にされることを理解されたい。さらに、デバイス（たとえば、アクセスポイントまたはユーザデバイス）は、様々な状況に応じてユーザデバイスとアクセスポイントとの間でそれの挙動を変更し得る。また、１つの物理デバイスは、たとえば、異なるチャネル上で、異なるタイムスロット上で、または両方の上で、ユーザデバイスおよびアクセスポイント、複数のユーザデバイス、複数のアクセスポイントなど、複数の役割を果たし得る。
【００２８】
[0048]  図１は、本開示のいくつかの態様による例示的なワイヤレス通信ネットワーク１００の図である。通信ネットワーク１００は、アクセスポイント（access point）１０２と、バックボーンネットワーク（backbone network）１０４と、レガシーユーザデバイス（legacy user device）１０６と、更新されたレガシーユーザデバイス（updated legacy user device）１０８と、新しいプロトコルユーザデバイス（new protocol user device）１１０とを備える。
【００２９】
[0049]  ワイヤレスローカルエリアネットワーク（ＬＡＮ）適用例のために構成され得るアクセスポイント１０２は、ユーザデバイス１０６、１０８、および１１０間のデータ通信を円滑化し得る。アクセスポイント１０２は、さらに、バックボーンネットワーク１０４に結合されたデバイスと、レガシーユーザデバイス１０６、更新されたレガシーユーザデバイス１０８、および新しいプロトコルユーザデバイス１１０のうちのいずれか１つまたは複数との間のデータ通信を可能にし得る。
【００３０】
[0050]  この例では、アクセスポイント１０２とレガシーユーザデバイス１０６は、レガシープロトコル（legacy protocol）を使用して互いの間でデータ通信する。レガシープロトコルの一例はＩＥＥＥ８０２．１１ａｄを含む。このプロトコルによれば、アクセスポイント１０２とレガシーユーザデバイス１０６との間のデータ通信は、８０２．１１ａｄプロトコルに準拠するデータフレームの送信を介して実現される。本明細書でさらに説明するように、８０２．１１ａｄデータフレームは、レガシーショートトレーニングフィールド（Ｌ−ＳＴＦ：legacy short training field）およびレガシーチャネル推定シーケンス（Ｌ−ＣＥＳ：legacy channel estimation sequence）からなるプリアンブル（preamble）と、レガシーヘッダ（Ｌ−Ｈｅａｄｅｒ）と、データペイロード（data payload）と、随意のビームフォーミングトレーニングフィールド（optional beamforming training field）とを含む。
【００３１】
[0051]  Ｌ−ＳＴＦシーケンスは、複数のゴレイシーケンス（Golay sequence）（Ｇａ128）と、Ｌ−ＳＴＦシーケンスの終了を示すための負のゴレイシーケンス（−Ｇａ128）とを含む。Ｌ−ＳＴＦシーケンスは、受信機が、フレームの残りおよび後続のフレームを正確に受信するためにそれの自動利得制御（ＡＧＣ：automatic gain control）、タイミング、および周波数セットアップをセットアップするのを支援し得る。シングルキャリア（ＳＣ：single carrier）送信モードの場合、Ｌ−ＣＥＳシーケンスは、（以下の連結されたゴレイシーケンス（−Ｇｂ128、−Ｇａ128、Ｇｂ128、−Ｇａ128）からなるＧｕ512シーケンスと、後続の（以下の連結されたゴレイシーケンス（−Ｇｂ128、Ｇａ128、−Ｇｂ128、−Ｇａ128）からなるＧｖ512シーケンスとを含み、（−Ｇｂ128と同じ）Ｇｖ128シーケンスで終了する。直交周波数分割多重化（ＯＦＤＭ）送信モードの場合、Ｌ−ＣＥＳシーケンスは、Ｇｖ512シーケンスと、後続のＧｕ512シーケンスとを含み、Ｇｖ128シーケンスで終了する。Ｌ−ＣＥＳシーケンスは、受信機がチャネル周波数応答を推定することと、フレームをより確実に受信するために等化を実行することとを行うのを支援する。
【００３２】
[0052]  Ｌ−ヘッダは、フレームに関する様々な情報を含む。そのような情報は、データ白色化の目的でＬ−ヘッダの残りおよびデータペイロードに適用されるスクランブリングのためのシード（seed）を指定する、スクランブラ開始フィールドを含む。Ｌ−ヘッダはまた、フレームのデータペイロードを送信するために使用される１２個の定義された変調およびコーディング方式（ＭＣＳ：modulation and coding scheme）のうちの１つを示すための、ＭＣＳフィールドを含む。Ｌ−ヘッダは、オクテット（octet）でデータペイロードの長さを示すための、長さフィールドを含む。Ｌ−ヘッダは、フレームの終了において随意のビームフォーミングトレーニングシーケンス（beam forming training sequence）の長さを示すための、トレーニング長さフィールド（training length field）をさらに含む。さらに、Ｌ−ヘッダは、随意のビームフォーミングフィールドが送信に関係するか受信に関係するかを示すための、パケットタイプフィールド（packet type field）を含む。さらに、Ｌ−ヘッダは、ヘッダビットにわたってＣＲＣ−３２チェックサムを示すための、ＨＣＳフィールドを含む。
【００３３】
[0053]  再び図１を参照すると、レガシーユーザデバイス１０６は、８０２．１１ａｄデータフレーム全体を復号することが可能である。新しい規格またはプロトコル８０２．１１ａｙのために後で採用され得る、本明細書で開示される新しいフレームは、何らかの後方互換性の特徴を与える。本明細書でより詳細に説明するように、この新しいフレームは、８０２．１１ａｄのプリアンブル（Ｌ−ＳＴＦおよびＬ−ＣＥＳ）ならびにＬ−ヘッダと、新しいプロトコルに関係する１つまたは複数の追加の部分とを含む。したがって、レガシーユーザデバイス１０６は、新しいフレームの８０２．１１ａｄプリアンブル（Ｌ−ＳＴＦおよびＬ−ＣＥＳ）ならびにＬ−ヘッダ部分を復号するように構成されるが、新しいフレームの残りの部分を復号するように構成されない。レガシーユーザデバイス１０６は、送信衝突回避（transmission collision avoidance）の目的で新しいフレームの長さを決定するためにネットワーク割振りベクトル（ＮＡＶ）を計算するために、新しいフレームの８０２．１１ａｄプリアンブルおよびヘッダ部分を復号し得る。
【００３４】
[0054]  更新されたレガシーユーザデバイス１０８はまた、レガシー８０２．１１ａｄプロトコルの下で動作し、８０２．１１ａｄデータフレームを使用してアクセスポイント１０２と通信することが可能である。しかしながら、更新されたレガシーユーザデバイス１０８のフレーム処理能力は、本明細書でさらに説明するように、新しいフレームのＬ−ヘッダ中で、新しいフレームの属性を示すいくつかのビットを解釈するように更新されている。レガシー８０２．１１ａｄプロトコルに従って、これらのビットは、Ｌ−ヘッダ中でデータ長の最下位ビット（ＬＳＢ：least significant bits）に割り振られる。しかし、新しいフレームに従って、Ｌ−ヘッダの他の方法で割り振られたビットは、新しいフレームに関連する何らかの送信モードに従って、新しいフレームの第１の部分と新しいフレームの第２の部分との間の送信電力差を示すために使用される。これらのビットは、更新されたレガシーユーザデバイスが、信号干渉管理の目的で電力差（増加）を予想することを可能にする。この例では、ＬＳＢ長さビットの割振りは上述の電力差を表すが、これらのビットは他の目的のために割り振られ得ることを理解されたい。
【００３５】
[0055]  新しいプロトコルユーザデバイス１１０は、新しいデータフレームを使用してアクセスポイント１０２と通信することが可能であり、８０２．１１ａｙプロトコルのために新しいフレームのその一部または全部の特徴が採用され得る。本明細書でさらに説明するように、新しいデータフレームは、レガシー８０２．１１ａｄプリアンブル（Ｌ−ＳＴＦおよびＬ−ＣＥＳ）ならびにＬ−ヘッダを含み、Ｌ−ヘッダは、新しいフレームに関連する送信モードと、前に説明したように、新しいフレームの第１の部分と新しいフレームの第２の部分との間の送信電力差とを示すようにわずかに修正される。新しいフレームのＬ−ヘッダへのこのわずかな修正は、レガシーユーザデバイス１０６と更新されたレガシーユーザデバイス１０８とによるＬ−ヘッダの復号に影響を及ぼさない。送信モードを示す、新しいフレームのＬ−ヘッダ中のビットは、標準８０２．１１ａｄレガシーヘッダ中の予約済みビットである。
【００３６】
[0056]  レガシープリアンブル（legacy preamble）（Ｌ−ＳＴＦおよびＬ−ＣＥＳ）ならびにＬ−ヘッダに加えて、新しいフレームは、拡張方向性マルチギガビット（ＥＤＭＧ）ヘッダをさらに備える。本明細書でより詳細に説明するように、ＥＤＭＧヘッダは、新しいフレームの様々な属性を示すための複数のフィールドを備える。そのような属性は、ペイロードデータ長（payload data length）、ＥＤＭＧヘッダ中の低密度パリティチェック（ＬＤＰＣ：low density parity check）データブロックの数、サポートされる空間ストリームの数、結合チャネルの数、結合チャネルのうちの最左（最低周波数）チャネル、新しいフレームのデータペイロードのために使用されるＭＣＳ、フレームの様々な部分間の送信電力差、および他の情報を含む。ＥＤＭＧヘッダには、新しいフレームのデータペイロード部分の中にないペイロードデータがさらに付加され得る。ショートメッセージの場合、ペイロードデータのすべてがＥＤＭＧヘッダに付加され得、それにより、フレームに著しいオーバーヘッドを加える新しいフレームの「別個の」データペイロード部分を送信する必要が回避される。
【００３７】
[0057]  新しいデータフレームは、より高いデータ変調方式と、チャネル結合（channel bonding）と、チャネルアグリゲーション（channel aggregation）と、多入力多出力（ＭＩＭＯ：multiple input multiple output）アンテナ構成を介した改善された空間送信とを採用することによってデータスループットを改善するための追加の特徴を与えるように構成される。たとえば、レガシー８０２．１１ａｄプロトコルは、ＢＰＳＫ、ＱＰＳＫ、および１６ＱＡＭの利用可能な変調方式を含む。新しいプロトコルによれば、６４ＱＡＭ、６４ＡＰＳＫ、１２８ＡＰＳＫ、２５６ＱＡＭ、および２５６ＡＰＳＫなど、より高い変調方式が利用可能である。さらに、データスループットを増加させるために、複数のチャネルが結合またはアグリゲートされ得る。さらに、そのような結合またはアグリゲートされたチャネルは、ＭＩＭＯアンテナ構成を使用して複数の空間送信として送信され得る。
【００３８】
[0058]  図２は、ワイヤレス通信システム２００の例示的なアクセスポイント２１０（概して、第１のワイヤレスノード）と例示的なアクセス端末２２０（概して、第２のワイヤレスノード）とのブロック図を示す。アクセスポイント２１０は、ダウンリンクでは送信エンティティであり、アップリンクでは受信エンティティである。アクセス端末２２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。
【００３９】
[0059]  アクセスポイント２１０は代替的にアクセス端末であり得、アクセスポイント２２０は代替的にアクセスポイントであり得ることを理解されたい。
【００４０】
[0060]  データを送信するために、アクセスポイント２１０は、送信データプロセッサ２１８と、フレームビルダー（frame builder）２２２と、送信プロセッサ２２４と、複数のトランシーバ２２６−１〜２２６−Ｎと、複数のアンテナ２３０−１〜２３０−Ｎとを備える。アクセスポイント２１０はまた、アクセスポイント２１０の動作を制御するためのコントローラ２３４を備える。
【００４１】
[0061]  動作中、送信データプロセッサ２１８は、データソース２１５からデータ（たとえば、データビット）を受信し、送信のためにデータを処理する。たとえば、送信データプロセッサ２１８は、データ（たとえば、データビット）を符号化データに符号化し、符号化データをデータ変調シンボルに変調し得る。送信データプロセッサ２１８は、異なる変調およびコーディング方式（ＭＣＳ）をサポートし得る。たとえば、送信データプロセッサ２１８は、複数の異なるコーディングレートのうちのいずれか１つで（たとえば、低密度パリティチェック（ＬＤＰＣ）符号化を使用して）データを符号化し得る。また、送信データプロセッサ２１８は、限定はしないが、ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫを含む、複数の異なる変調方式のうちのいずれか１つを使用して符号化データを変調し得る。
【００４２】
[0062]  いくつかの態様では、コントローラ２３４は、（たとえば、ダウンリンクのチャネル状態に基づいて）どの変調およびコーディング方式（ＭＣＳ）を使用すべきかを指定するコマンドを送信データプロセッサ２１８に送り得、送信データプロセッサ２１８は、指定されたＭＣＳに従ってデータソース２１５からのデータを符号化および変調し得る。送信データプロセッサ２１８は、データスクランブリング（data scrambling）、インターリービング（interleaving）などのデータに対する追加の処理、暗号化（encryption）などの追加の符号化、および／または他の処理を実行し得ることを諒解されたい。送信データプロセッサ２１８は、フレームビルダー２２２にデータ変調シンボルを出力する。
【００４３】
[0063]  フレームビルダー２２２は、（パケットとも呼ばれる）フレームを構成し、ヘッダおよびフレームのデータペイロード部分にデータ変調シンボルを挿入する。フレームは、プリアンブルと、Ｌ−ヘッダと、ＥＤＭＧヘッダと、データペイロードと、他のフィールドとを含み得る。プリアンブルは、アクセス端末２２０がフレームを受信するのを支援するために、ショートトレーニングフィールド（Ｌ−ＳＴＦ）シーケンスとチャネル推定シーケンス（Ｌ−ＣＥＳ）とを含み得る。Ｌ−ヘッダおよび／またはＥＤＭＧヘッダは、データの長さ、ならびにデータを符号化および変調するために使用されるＭＣＳなど、ペイロード中のデータに関係する情報を含み得る。この情報は、アクセス端末２２０がデータを復調および復号することを可能にする。ペイロード中のデータは複数のブロックの間で分割され得、ここにおいて、各ブロックは、データの一部分と、受信機の位相追跡を支援するためのガードインターバル（ＧＩ：guard interval）とを含み得る。フレームビルダー２２２は、送信プロセッサ２２４にフレームを出力する。
【００４４】
[0064]  送信プロセッサ２２４は、ダウンリンク上での送信のためにフレームを処理する。たとえば、送信プロセッサ２２４は、直交周波数分割多重化（ＯＦＤＭ）送信モードおよびシングルキャリア（ＳＣ）送信モードなど、異なる送信モードをサポートし得る。この例では、コントローラ２３４は、どの送信モードを使用すべきかを指定するコマンドを送信プロセッサ２２４に送り得、送信プロセッサ２２４は、指定された送信モードに従って送信のためにフレームを処理し得る。送信プロセッサ２２４は、ダウンリンク信号の周波数成分がいくつかのスペクトル要件を満たすように、フレームにスペクトルマスク（spectrum mask）を適用し得る。
【００４５】
[0065]  いくつかの態様では、送信プロセッサ２２４は多出力多入力（ＭＩＭＯ）送信をサポートし得る。これらの態様では、アクセスポイント２１０は、複数のアンテナ２３０−１〜２３０−Ｎと、複数のトランシーバ２２６−１〜２２６−Ｎ（たとえば、アンテナごとに１つ）とを含み得る。送信プロセッサ２２４は、着信フレームに対して空間処理を実施し、複数のアンテナに複数の送信フレームストリームを与え得る。トランシーバ２２６−１〜２２６−Ｎは、それぞれ、アンテナ２３０−１〜２３０−Ｎを介した送信のための送信信号を生成するために、それぞれの送信フレームストリームを受信および処理（たとえば、アナログに変換、増幅、フィルタ処理、および周波数アップコンバート）する。
【００４６】
[0066]  データを送信するために、アクセス端末２２０は、送信データプロセッサ２６０と、フレームビルダー２６２と、送信プロセッサ２６４と、トランシーバ２６６と、１つまたは複数のアンテナ２７０（簡単のために１つのアンテナが示されている）とを備える。アクセス端末２２０は、アップリンク上でアクセスポイント２１０にデータを送信し、および／または（たとえば、ピアツーピア通信のために）別のアクセス端末にデータを送信し得る。アクセス端末２２０はまた、アクセス端末２２０の動作を制御するためのコントローラ２７４を備える。
【００４７】
[0067]  動作中、送信データプロセッサ２６０は、データソース２５５からデータ（たとえば、データビット）を受信し、送信のためにデータを処理（たとえば、符号化および変調）する。送信データプロセッサ２６０は様々なＭＣＳをサポートし得る。たとえば、送信データプロセッサ２６０は、複数の異なるコーディングレートのうちのいずれか１つで（たとえば、ＬＤＰＣ符号化を使用して）データを符号化し、限定はしないが、ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫを含む、複数の異なる変調方式のうちのいずれか１つを使用して符号化データを変調し得る。いくつかの態様では、コントローラ２７４は、（たとえば、アップリンクのチャネル状態に基づいて）どのＭＣＳを使用すべきかを指定するコマンドを送信データプロセッサ２６０に送り得、送信データプロセッサ２６０は、指定されたＭＣＳに従ってデータソース２５５からのデータを符号化および変調し得る。送信データプロセッサ２６０はデータに対して追加の処理を実施し得ることを諒解されたい。送信データプロセッサ２６０は、フレームビルダー２６２にデータ変調シンボルを出力する。
【００４８】
[0068]  フレームビルダー２６２は、フレームを構成し、フレームのヘッダ部分とデータペイロード部分とに受信データ変調シンボルを挿入する。フレームは、プリアンブルと、ヘッダと、データペイロードとを含み得る。プリアンブルは、アクセスポイント２１０および／または他のアクセス端末がフレームを受信するのを支援するために、Ｌ−ＳＴＦシーケンスとＬ−ＣＥＳシーケンスとを含み得る。ヘッダは、データの長さ、ならびにデータを符号化および変調するために使用されるＭＣＳなど、ペイロード中のデータに関係する情報を含み得る。ペイロード中のデータは複数のブロックの間で分割され得、ここで、各ブロックは、データの一部分と、アクセスポイントおよび／または他のアクセス端末の位相追跡を支援するガードインターバル（ＧＩ）とを含み得る。フレームビルダー２６２は、送信プロセッサ２６４にフレームを出力する。
【００４９】
[0069]  送信プロセッサ２６４は、送信のためにフレームを処理する。たとえば、送信プロセッサ２６４は、ＯＦＤＭ送信モードおよびＳＣ送信モードなど、異なる送信モードをサポートし得る。この例では、コントローラ２７４は、どの送信モードを使用すべきかを指定するコマンドを送信プロセッサ２６４に送り得、送信プロセッサ２６４は、指定された送信モードに従って送信のためにフレームを処理し得る。送信プロセッサ２６４は、アップリンク信号の周波数成分がいくつかのスペクトル要件を満たすように、フレームにスペクトルマスクを適用し得る。
【００５０】
[0070]  トランシーバ２６６は、１つまたは複数のアンテナ２７０を介した送信のために送信プロセッサ２６４の出力を受信および処理（たとえば、アナログに変換、増幅、フィルタ処理、および周波数アップコンバート）する。たとえば、トランシーバ２６６は、送信プロセッサ２６４の出力を、６０ＧＨｚ帯の周波数を有する送信信号にアップコンバートし得る。
【００５１】
[0071]  いくつかの態様では、送信プロセッサ２６４は多出力多入力（ＭＩＭＯ）送信をサポートし得る。これらの態様では、アクセス端末２５０は、複数のアンテナと、複数のトランシーバ（たとえば、アンテナごとに１つ）とを含み得る。送信プロセッサ２６４は、着信フレームに対して空間処理を実施し、複数のアンテナに複数の送信フレームストリームを与え得る。トランシーバは、アンテナを介した送信のための送信信号を生成するために、それぞれの送信フレームストリームを受信および処理（たとえば、アナログに変換、増幅、フィルタ処理、および周波数アップコンバート）する。
【００５２】
[0072]  データを受信するために、アクセスポイント２１０は、受信プロセッサ２４２と受信データプロセッサ２４４とを備える。動作中、トランシーバ２２６−１〜２２６−Ｎは、（たとえば、アクセス端末２２０から）信号を受信し、受信された信号を空間処理（たとえば、周波数ダウンコンバート、増幅、フィルタ処理およびデジタルに変換）する。
【００５３】
[0073]  受信プロセッサ２４２は、トランシーバ２２６−１〜２２６−Ｎの出力を受信し、データシンボルまたは変調シンボルを復元するために出力を処理する。たとえば、アクセスポイント２１０は、フレーム中で（たとえば、アクセス端末２２０から）データを受信し得る。この例では、受信プロセッサ２４２は、フレームのプリアンブル中のＬ−ＳＴＦシーケンスを使用してフレームの開始を検出し得る。受信プロセッサ２４２はまた、自動利得制御（ＡＧＣ）調整のためにＬ−ＳＴＦを使用し得る。受信プロセッサ２４２はまた、（たとえば、フレームのプリアンブル中のＬ−ＣＥＳシーケンスを使用して）チャネル推定を実施し、チャネル推定に基づいて受信信号に対してチャネル等化を実施し得る。
【００５４】
[0074]  さらに、受信プロセッサ２４２は、ペイロード中のガードインターバル（ＧＩ）を使用して位相雑音（phase noise）を推定し、推定された位相雑音に基づいて受信信号中の位相雑音を低減し得る。位相雑音は、周波数変換のために使用される、アクセス端末２２０における局部発振器からの雑音、および／またはアクセスポイント２１０における局部発振器からの雑音に起因し得る。位相雑音はチャネルからの雑音をも含み得る。受信プロセッサ２４２はまた、フレームのヘッダ部分から（たとえば、ＭＣＳ方式に基づいて）ヘッダデータ変調シンボルを復号し、コントローラ２３４に復号ヘッダ情報を送り得る。チャネル等化および／または位相雑音低減を実行した後に、受信プロセッサ２４２は、フレームからペイロードデータ変調シンボルを復元し、さらなる処理のために受信データプロセッサ２４４に復元されたペイロードデータ変調シンボルを出力し得る。
【００５５】
[0075]  受信データプロセッサ２４４は、受信プロセッサ２４２からペイロードデータ変調シンボルを受信し、コントローラ２３４から対応するＭＳＣ方式の指示を受信する。受信データプロセッサ２４４は、示されたＭＳＣ方式に従ってペイロードデータを復元するために、ペイロードデータシンボルを復調および復号し、記憶および／またはさらなる処理のためにデータシンク２４６に復元されたペイロードデータ（たとえば、データビット）を出力する。
【００５６】
[0076]  上記で説明したように、アクセス端末２２０は、ＯＦＤＭ送信モードまたはＳＣ送信モードを使用してデータを送信し得る。この場合、受信プロセッサ２４２は、選択された送信モードに従って受信信号を処理し得る。また、上記で説明したように、送信プロセッサ２６４は多出力多入力（ＭＩＭＯ）送信をサポートし得る。この場合、アクセスポイント２１０は、複数のアンテナ２３０−１〜２３０−Ｎと、複数のトランシーバ２２６−１〜２２６−Ｎ（たとえば、アンテナごとに１つ）とを含む。各トランシーバは、それぞれのアンテナからの信号を受信および処理（たとえば、周波数ダウンコンバート、増幅、フィルタ処理、およびデジタルに変換）する。受信プロセッサ２４２は、データ変調シンボルを復元するために、トランシーバ２２６−１〜２２６−Ｎの出力に対して空間処理を実施し得る。
【００５７】
[0077]  データを受信するために、アクセス端末２２０は、受信プロセッサ２８２と受信データプロセッサ２８４とを備える。動作中、トランシーバ２６６は、（たとえば、アクセスポイント２１０または別のアクセス端末から）信号を受信し、受信された信号を処理（たとえば、周波数ダウンコンバート、増幅、フィルタ処理およびデジタルに変換）する。
【００５８】
[0078]  受信プロセッサ２８２は、トランシーバ２６６の出力を受信し、データ変調シンボルを復元するために出力を処理する。たとえば、アクセス端末２２０は、上記で説明したように、フレーム中で（たとえば、アクセスポイント２１０または別のアクセス端末から）データを受信し得る。この例では、受信プロセッサ２８２は、フレームのプリアンブル中のＬ−ＳＴＦシーケンスを使用してフレームの開始を検出し得る。受信プロセッサ２８２はまた、（たとえば、フレームのプリアンブル中のＬ−ＣＥＳシーケンスを使用して）チャネル推定を実施し、チャネル推定に基づいて受信信号に対してチャネル等化を実施し得る。
【００５９】
[0079]  さらに、受信プロセッサ２８２は、ペイロード中のガードインターバル（ＧＩ）を使用して位相雑音を推定し、推定された位相雑音に基づいて受信信号中の位相雑音を低減し得る。受信プロセッサ２８２はまた、フレームのヘッダ部分からヘッダデータ変調シンボルを（たとえば、ＭＣＳ方式を介して）復号し、コントローラ２７４にヘッダ情報を送り得る。チャネル等化および／または位相雑音低減を実施した後に、受信プロセッサ２８２は、フレームからペイロードデータ変調シンボルを復元し、さらなる処理のために受信データプロセッサ２８４に復元されたペイロードデータ変調シンボルを出力し得る。
【００６０】
[0080]  受信データプロセッサ２８４は、受信プロセッサ２８２からペイロードデータ変調シンボルを受信し、コントローラ２７４から対応するＭＳＣ方式の指示を受信する。受信データプロセッサ２８４は、示されたＭＳＣ方式に従ってペイロードデータを復元するために、ペイロードデータ変調シンボルを復調および復号し、記憶および／またはさらなる処理のためにデータシンク２８６に復元されたペイロードデータ（たとえば、データビット）を出力する。
【００６１】
[0081]  上記で説明したように、アクセスポイント２１０または別のアクセス端末は、ＯＦＤＭ送信モードまたはＳＣ送信モードを使用してデータを送信し得る。この場合、受信プロセッサ２８２は、選択された送信モードに従って受信信号を処理し得る。また、上記で説明したように、送信プロセッサ２２４は多出力多入力（ＭＩＭＯ）送信をサポートし得る。この場合、アクセス端末２５０は、複数のアンテナと、複数のトランシーバ（たとえば、アンテナごとに１つ）とを含み得る。各トランシーバは、それぞれのアンテナからの信号を受信および処理（たとえば、周波数ダウンコンバート、増幅、フィルタ処理、およびデジタルに変換）する。受信プロセッサ２８２は、データシンボルを復元するために、トランシーバの出力に対して空間処理を実施し得る。
【００６２】
[0082]  図２に示されているように、アクセスポイント２１０は、コントローラ２３４に結合されたメモリ２３６をも備える。メモリ２３６は、コントローラ２３４によって実行されたとき、本明細書で説明する動作のうちの１つまたは複数をコントローラ２３４に実行させる命令を記憶し得る。同様に、アクセス端末２２０は、コントローラ２７４に結合されたメモリ２７６をも備える。メモリ２７６は、コントローラ２７４によって実行されたとき、本明細書で説明される動作のうちの１つまたは複数をコントローラ２７４に実行させる命令を記憶し得る。
【００６３】
拡張フレームに共通のフレームフォーマット（FRAME FORMAT COMMON TO THE ENHANCED FRAMES）
[0083]  図３Ａは、本開示の別の態様による例示的なフレーム３００（またはその部分）を示す。本明細書で説明するように、提案されるフレームフォーマットのすべては、Ｌ−ＳＴＦ＋Ｌ−ＣＥＳ＋Ｌ−ヘッダというレガシーフィールドを含む。レガシーフィールドの後に、送信は、提案された新しい８０２．１１ａｙプロトコルまたはフォーマットの一部である様々なフィールドを含む。新しいプロトコルに従って、直交周波数分割多重化（ＯＦＤＭ）、シングルキャリア広帯域（ＳＣ  ＷＢ）、シングルキャリア（ＳＣ）アグリゲートという、いくつかの送信オプションが使用され得、各々は様々なオプションおよびフォーマットを有する。すべての上述の８０２．１１ａｙオプションは、随意のデータとともにＥＤＭＧヘッダを含む。
【００６４】
[0084]  図示のように、新しいフレームまたはフレーム部分３００によれば、Ｌ−ＳＴＦは実質的に１．１６マイクロ秒（μｓ）の持続時間を有し得、Ｌ−ＣＥＳは実質的に０．７３μｓの持続時間を有し得、Ｌ−ヘッダは実質的に０．５８μｓの持続時間を有し得、ＥＤＭＧヘッダは実質的に０．２９μｓまたはそれの整数Ｋ倍の持続時間を有し得る。フレーム３００がフルフレームである（フレーム部分ではない）場合、フレーム３００は、シングルチャネルを介して送信され得、ＥＤＭＧヘッダ中にデータペイロードを含み得る。そのような構成は、送信のためにオーバーヘッドを消費し得る、新しいフレームフォーマットによる別個のデータペイロードが不要であるので、ショートメッセージでは有用であり得る。
【００６５】
[0085]  Ｌ−ヘッダは様々なパラメータを指定し、それは、範囲内にあるすべての局（ユーザデバイスおよびアクセスポイント）によって復号される。これらの局は、それらがメッセージを受信するために待っているときまたは送信より前にリッスンする。Ｌ−ヘッダは、レガシーデータ送信において使用される変調コーディング方式（ＭＣＳ）と、送信されるデータの量とを指定する。局は、これらの２つの値を使用して、ネットワーク割振りベクトル（ＮＡＶ）を更新するために持続時間長さを計算する。これは、局がデータ自体を復号することができない場合でも、または局がメッセージの目的とする受信機でない場合でも、媒体が送信機によって使用されることになることを局が知ることを可能にする機構である。ＮＡＶの使用は、送信信号の衝突を回避するための機構のうちの１つである。
【００６６】
[0086]  （データのための）レガシー８０２．１１ａｄフレームフォーマットでは、データは、サイズがコードレートに従う低密度パリティチェック（ＬＤＰＣ）ブロックに入れられ、次いで、固定長（６７２ビット）に符号化される。その結果は連結され、次いで、選択されたＭＣＳ（主に変調）に従って高速フーリエ変換（ＦＦＴ）ブロックにスプリットされる。受信機において、このプロセスは反転される。低いデータＭＣＳでは、１つのＬＤＰＣブロックは１つまたは複数のＦＦＴブロックを必要とし得るが、高いデータＭＣＳでは、１つのＦＦＴブロックは２つ以上のＬＤＰＣブロックをホストし得ることに留意されたい。この説明は、ＥＤＭＧヘッダの直後にＬＤＰＣデータを配置することに関係する。
【００６７】
[0087]  図３Ｂは、本開示のいくつかの態様によるフレームまたはフレーム部分３００の例示的なＥＤＭＧヘッダ３５０を示す。ＥＤＭＧヘッダ３５０は、送信フレーム（transmit frame）を受信し復号することが可能になるために受信機によって使用される送信フレームパラメータ（ＭＣＳ、データ長、モードなど）を指定する。（宛先局でない）他の局がＥＤＭＧヘッダ３５０を復調する必要はない。したがって、ＥＤＭＧヘッダ３５０および随意の添付データは、宛先局に好適な高いＭＣＳで送信され得る。
【００６８】
[0088]  ＥＤＭＧヘッダ３５０は以下を備える。（１）ペイロードデータがＥＤＭＧヘッダに付加されるか別個のペイロード部分の中に入れられるかにかかわらず、すべてのコンカレントチャネルにおいてオクテットで新しいプロトコル８０２．１１ａｙペイロードデータの長さを指定するための「ｉ」個のビットを含むペイロードデータ長フィールド。（２）ＥＤＭＧヘッダおよびデータ中のＬＤＰＣデータブロックの数を指定するための「ｊ」個のビットを含むＬＤＰＣブロックのＥＤＭＧヘッダ数フィールド。この値がゼロ（０）であるとき、それは、ＥＤＭＧヘッダ中に１つのＬＤＰＣデータブロックがあることを意味する。（３）送信される空間ストリームの数（たとえば、１〜１６）を表すための「ｋ」個のビットを含む空間ストリームフィールド。（４）結合チャネル（たとえば、１〜８つの８０２．１１ａｄチャネル、ならびに８０２．１１ａｄにおいて利用不可能な追加のチャネル）の数を指定するための「ｌ」個のビットを含むチャネルフィールド。および（５）結合チャネルのうちの第１のチャネルのオフセットを指定するための「ｍ」個のビットを含むチャネルオフセットフィールド。この例では、第１のチャネルは、結合チャネルのうちの最左（最低周波数）チャネルである。この値は、第１のチャネルがすべての利用可能なチャネルのうちの最低周波数チャネルであるとき、またはただ１つのチャネルが使用されるとき（すなわち、チャネル結合なし）、ゼロ（０）に設定される。
【００６９】
[0089]  ＥＤＭＧヘッダ３５０はさらに以下を備える。（６）ＮＧ６０（８０２．１１ａｙ）データペイロード送信において使用されるＭＣＳを指定するための「ｎ」個のビットを含む１１ａｙ  ＭＣＳフィールド。ＥＤＭＧヘッダに添付されるショートデータはレガシー８０２．１１ａｄ  ＭＣＳを使用することに留意されたい。８０２．１１ａｙ  ＭＣＳは、６４ＱＡＭ、６４ＡＰＳＫ、２５６ＱＡＭ、および２５６ＡＰＳＫなど、８０２．１１ａｄにおいて利用可能なものを超えるより高いスループット変調方式を含み得る。（７）ショートまたはロングＧＩを示すための「ｏ」個のビットを含むＧＩ（ガードインターバル）モードフィールド。実際の値は、結合チャネルの数など、パラメータに依存し得ることに留意されたい。（８）ショートまたはロングＦＦＴまたはＦＤＥブロックを示すための「ｐ」個のビットを含むＦＦＴモードフィールド。実際の値は、結合チャネルの数など、パラメータに依存し得ることに留意されたい。および（９）ショートまたはロングＬＤＰＣブロックを示すための「ｑ」個のビットを含むＬＤＰＣモードフィールド。
【００７０】
[0090]  ＥＤＭＧヘッダ３５０はさらに以下を備える。（１０）新しいフレームのレガシー部分およびＥＤＭＧヘッダ（たとえば、Ｌ−ＳＴＦ＋Ｌ−ＣＥＳ＋Ｌ−ヘッダ＋ＥＤＭＧヘッダ／データ）のアグリゲートされた電力と、ＮＧ６０（８０２．１１ａｙ）部分（随意のＮＧ６０  ＳＴＦ＋随意のＮＧ６０  ＣＥＳ＋別個のＮＧ６０ペイロード）のＳＣ  ＷＢモード送信との間の平均電力の差をシグナリングするための「ｒ」個のビットを含む電力差フィールド。この差はベンダー固有であり得る。いくつかの送信機は、ＰＡ非線形性により、アグリゲートされたセクションとＷＢセクションとの間の電力バックオフ（power backoff）を必要とし得る。この値は、ＡＧＣセットアップを支援するために予想される電力差に関して受信機に通知する。値はｄＢでコーディングされる（たとえば、００００：０ｄＢ、０１００：４ｄＢ、１１１１：１５ｄＢ以上）。
【００７１】
[0091]  ＥＤＭＧヘッダ３５０はさらに以下を備える。（１１）予約済みビット、すなわち、この時点で予約されている「ｓ」個のビット。送信機は、この時点でそれらを０に設定すべきである。将来、これらのビットは様々な必要性に割り振られ得る。（１２）プロプライエタリビット（Proprietary bit）、すなわち、ベンダーによって使用され得、インターオペラビリティを必要としない「ｔ」個のスペアビット。受信機は、これらのビットが何であるかを知っていなければ、それらを廃棄すべきである。および（１３）ＥＤＭＧヘッダに署名するための「ｕ」個のビットを含むＣＲＣフィールド。このフィールドは、受信されたＥＤＭＧヘッダの正当性を検証するために受信機によって使用されることになる。ＣＲＣを計算するために、（ＣＲＣを除く）すべてのビットが使用されなければならない。ＥＤＭＧヘッダ３５０は、７２ビットの長さを有し得る。ＥＤＭＧヘッダ３５０は、厳密に同じコンテンツとともに各コンカレント送信チャネル上で送られ得る。この複製は、正しい検出確率を高めるために受信機によって使用され得る。受信機は以下の様々なアルゴリズムを使用し得る。オプション１：受信機はただ１つのチャネルを復号する（シンプルだが最も低い性能）。オプション２：受信機はそのときにただ１つのチャネルを復号する。ＣＲＣが合格した場合は、受信機が追加のチャネルについてＣＲＣ処理を試みていない場合、受信機は追加のチャネルについてＣＲＣ処理を中止し得る。オプション２は、オプション１よりも性能が良好であり得るが、直列処理を要する。およびオプション３：受信機は、すべてのチャネルを復号し、訂正されたＣＲＣを有するチャネルを選択する。オプション３はオプション２と同じ性能を有し得るが、より高速である。
【００７２】
ＥＤＭＧヘッダの符号化および復号（ENCODING AND DECODING THE EDMG HEADER）
[0092]  図４に、本開示のいくつかの態様による、フレームを介した送信のためにヘッダビットを符号化するための例示的な装置４００の図を示す。要約すれば、装置４００は、フレームを介した送信のためにヘッダデータビットを処理するように構成される。ヘッダデータビットの処理は、フレームの対応するＥＤＭＧヘッダを形成するためにヘッダビットと関連するパリティビットとの有意な冗長性を組み込む形で実行される。冗長性は、受信デバイスがＥＤＭＧヘッダを正常に復号することにおける信頼性を著しく改善する。前に説明したように、受信デバイスは、ＥＤＭＧヘッダを正常に復号すると、フレームの残りの部分（たとえば、データペイロード）を復号し得る。
【００７３】
[0093]  例示および説明のために、７２ビットの長さをもつＥＤＭＧヘッダは、装置４００に入力として与えられる。ＥＤＭＧヘッダが７２ビットより長いかまたはそれより短い長さを有し得ることが理解されよう。また、例示および説明のために、ＥＤＭＧヘッダデータビットの送信に関連するビットのすべてを含む、周波数領域等化（ＦＤＥ：Frequency Domain Equalization）ブロックまたはＦＦＴブロックと本明細書では呼ばれることもあるデータ変調シンボルのブロックは、４４８個のデータ変調シンボルの長さを有する。データ変調シンボルのＥＤＭＧヘッダブロックが４４８個のシンボルより長いかまたはそれより短い長さを有し得ることが理解されよう。さらに、この例によれば、４４８個のデータ変調シンボルのブロックを生成するために（π／２−ＱＰＳＫを含む）ＱＰＳＫ変調が使用される。データ変調シンボルのブロックを生成するために他のタイプの変調が使用され得ることが理解されよう。
【００７４】
[0094]  したがって、装置４００は、フレームのヘッダ部分を復号する際に受信デバイスによってデータ変調シンボルの実質的にすべてが使用され得るようにデータ変調シンボルのブロックを生成するように構成される。この例では、８９６ビットとなる７２ヘッダビットと４４８個のデータ変調シンボルとしかないので、装置４００は、フレームのヘッダ部分を復号するために受信機によって４４８個のデータ変調シンボルの実質的にすべて（この例では、４４８個のデータ変調シンボルのうちの４４４個）が使用され得るように、ヘッダビットに、さらに、ヘッダビットを符号化することによって生成されるパリティビットに冗長性を与える。
【００７５】
[0095]  特に、装置４００は、ビットの第１のシーケンス（たとえば、２６２ビット）で７２ヘッダビットをパディング（padding）することによってビットのシーケンスを生成するように構成された付加または連結デバイス（appending or concatenating device）４１０を含む。これの理由は、装置４００によって使用される誤り訂正符号化が３３６ビットの入力データベクトルを使用するということである。したがって、付加または連結デバイス４１０によって付加されるビットの第１のシーケンスは、ヘッダビットの数の欠如を補う。ビットの第１のシーケンスは、ダミービットであるか、または情報を含まないことがある。特定の例として、ビットの第１のシーケンスは、ゼロビットだけからなり得る。ビットの第１のシーケンスは、本明細書でさらに説明する受信装置５００によって知られるはずである。装置４００が異なる誤り訂正符号化を使用する場合、ヘッダビットに付加されるビットの第１のシーケンス中のビット数が異なり得ることが理解されよう。さらに、ヘッダビットが、使用される誤り訂正符号化のための入力データベクトルと同じサイズを有し得ることが理解されよう。そのような場合、装置４００は、付加または連結デバイス４１０を必要としないことがあり、ヘッダビットは、誤り訂正符号化のためだけの入力であり得る。
【００７６】
[0096]  装置４００は、付加または連結デバイス４１０によって生成されたビットのシーケンスを符号化するように構成された誤り訂正エンコーダ（error correction encoder）４１２をさらに含む。この例では、誤り訂正エンコーダ４１２は、付加または連結デバイス４１０によって生成されたビットのシーケンスの低密度パリティチェック（ＬＤＰＣ）符号化を実行する。さらに、この例によれば、符号化のコードレートは１／２である。誤り訂正エンコーダ４１２が、畳み込み符号化、ターボ符号化、および１／２とは異なるコードレートなどの他のタイプの誤り訂正符号化を使用し得ることが理解されよう。誤り訂正エンコーダ４１２が３３６ビットのエンコーダであるので、コードレートは１／２であり、誤り訂正エンコーダ４１２は、元の７２ヘッダビットと第１のシーケンスの２６２ビットとに加えて３３６パリティビットを生成する。
【００７７】
[0097]  送信されるべきフレームのヘッダ部分に追加の冗長性および信頼性を組み込むために、装置４００は、ヘッダリピータ（header repeater）４１４を含む。ヘッダリピータ４１４は、ヘッダビットの繰返しの定義された整数Ｍを備えるビットのシーケンスを生成するように構成される。この例では、数Ｍは３である。したがって、この例ではヘッダビットの数が７２であるので、ヘッダリピータ４１４によって生成されるビットのシーケンスは、２１６ビット（たとえば、３×７２ビット）の長さを有する。整数Ｍは３とは異なり得ることが理解されよう。
【００７８】
[0098]  同様に、送信されるべきフレームのヘッダ部分に追加の冗長性および信頼性を組み込むために、装置４００は、パリティリピータ（parity repeater）４１６を含む。パリティリピータ４１６は、パリティビットの繰返しの定義された整数Ｎを備えるビットのシーケンスを生成するように構成される。この例では、数Ｎは２である。したがって、この例ではパリティビットの数が３３６であるので、パリティリピータ４１６によって生成されるビットのシーケンスは、６７２ビット（たとえば、２×３３６ビット）の長さを有する。整数Ｎは２とは異なり得ることが理解されよう。さらに、整数Ｍ（すなわち、ヘッダビットの繰返しの数）が、整数Ｎ（すなわち、パリティビットの繰返しの数）とは異なるか、またはそれと同じであり得ることが理解されよう。
【００７９】
[0099]  追加の符号化または他の目的のために、装置４００は、ヘッダリピータ４１４によって生成されたビットのシーケンスを符号化するように構成されたヘッダエンコーダ（header encoder）４２０を含む。この例では、ヘッダエンコーダ４２０は、ヘッダリピータ４１４によって生成されたビットのシーケンスのワンタイムパッド（ＯＴＰ：one-time pad）暗号化（encryption）またはスクランブル（scrambling）を実行する。ヘッダエンコーダ４２０が、ヘッダリピータ４１４によって生成されたビットのシーケンスの暗号化またはスクランブルを含む別のタイプの符号化を実行し得ることが理解されよう。この例では、ヘッダリピータ４１４によって生成されたビットのシーケンスが２１６ビットの長さを有するので、ヘッダエンコーダ４２０は、やはり２１６ビットの長さをもつ符号化繰返しヘッダビットのシーケンスを生成する。
【００８０】
[00100]  同様に、追加の符号化または他の目的のために、装置４００は、パリティリピータ４１６によって生成されたビットのシーケンスを符号化するように構成されたパリティエンコーダ（parity encoder）４２２を含む。この例では、パリティエンコーダ４２２は、パリティリピータ４１６によって生成されたビットのシーケンスのワンタイムパッド（ＯＴＰ）暗号化またはスクランブルを実行する。パリティエンコーダ４２２が、パリティリピータ４１６によって生成されたビットのシーケンスの暗号化またはスクランブルを含む別のタイプの符号化を実行し得ることが理解されよう。この例では、パリティリピータ４１６によって生成されたビットのシーケンスが６７２ビットの長さを有するので、パリティエンコーダ４２２は、６７２ビットの長さをもつ符号化繰返しパリティビットのシーケンスを生成する。
【００８１】
[00101]  変調目的または他の目的のために単一のシーケンスを生成するために、装置４００はコンバイナ（combiner）４２４を含む。コンバイナ４２４は、パリティエンコーダ４２２によって生成された符号化繰返しパリティビットのシーケンスとヘッダエンコーダ４２０によって生成された符号化繰返しヘッダビットのシーケンスを組み合わせるように構成される。この例では、コンバイナ４２４は、パリティエンコーダ４２２によって生成されたビットのシーケンスとヘッダエンコーダ４２０によって生成されたビットのシーケンスをインターリーブ（interleave）するように構成されたインターリーバ（interleaver）であり得る。コンバイナ４２４が、ビットの単一のシーケンスを生成するために他の方法でヘッダエンコーダ４２０とパリティエンコーダ４２２とによって生成されたビットのシーケンスを組み合わせ得ることが理解されよう。
【００８２】
[00102]  符号化繰返しヘッダビットの数が２１６であり、符号化繰返しパリティビットの数が６７２であるので、コンバイナ４２４によって生成されるビットのシーケンスは、８８８ビット（たとえば、２１６＋６７２ビット）の長さを有する。ビットのこの数（８８８）は、ＱＰＳＫ変調方式に従って４４８個のデータ変調シンボルの所望のサイズを生成するための８９６のビットの定数に近い。したがって、本明細書の開示の一般概念は、繰返しヘッダとパリティビットとの組み合わされたシーケンスが、送信されるべきフレームのヘッダ部分に関連するデータ変調シンボルのブロックの所望のサイズに対応するビットの数に実質的に一致するかまたはそれに近くなるような方法でヘッダビット（または、より一般的には、データビット）とパリティビットとを繰り返すことである。この例では、コンバイナ４２４によって生成されるビット（たとえば、８８８ビット）のシーケンスは、４４８個のデータ変調シンボルを生成するために必要とされる８９６ビットに８ビット不足する。
【００８３】
[00103]  したがって、ＱＰＳＫ変調器に入力されるビットのシーケンスのサイズが、データ変調シンボルのシーケンスの所望のサイズに対応するように、装置４００は、コンバイナ４２４によって生成されたビットのシーケンスにビット（たとえば、８ビット）の第２のシーケンスを付加するように構成された別の付加または連結デバイス（concatenating device）４２６を含む。概して、繰返しヘッダビットと繰返しパリティビットとの組合せが、データ変調シンボルの所望のブロックサイズのために変調器によって必要とされる入力ビットの数に正確に一致しないか、またはそれに不足し得るので、付加または連結デバイス４２６によって付加されるビットの第２のシーケンスは欠如を補う。ビットの第２のシーケンスは、ダミービットであるか、または情報を含まないことがある。一例として、ビットの第２のシーケンスは、ゼロビットだけからなり得る。
【００８４】
[00104]  装置４００は、データ変調シンボルのブロック（たとえば、データ変調シンボルのＦＤＥブロック）を生成するために付加または連結デバイス４２６によって生成されたビットのシーケンスを変調するように構成された変調器４２８をさらに備える。したがって、この例に従って、変調器４２８は、４４８個のデータ変調シンボルのブロックを生成するために付加または連結デバイス４２６によって生成された８９６ビットのシーケンスの（π／２  ＱＰＳＫ変調を含む）ＱＰＳＫ変調を実行する。変調器４２８は、フレームビルダー２２２または２６２にデータ変調シンボルのブロックまたはシーケンスを与える。フレームビルダー２２２または２６２は、たとえば、フレームのヘッダ部分として変調器４２８によって生成されたデータ変調シンボルのブロックまたはシーケンスを含むフレームを生成する。したがって、装置４００の機能は、送信データプロセッサ２１８または２６０において実装され得る。
【００８５】
[00105]  図示のような装置４００によるヘッダビットの処理は、異なる順序または形で実行され得ることが理解されよう。一例として、ヘッダエンコーダ４２０は、最初に、ヘッダビットがヘッダエンコーダ４２０によって符号化され（たとえば、ワンタイムパッド（ＯＴＰ）暗号化またはスクランブルを受け）、次いで、符号化ヘッダビットがヘッダリピータ４１４によってＭ回繰り返され得るように、ヘッダリピータ４１４の上流に配置され得る。同様に、パリティエンコーダ４２２は、最初に、パリティビットがパリティエンコーダ４２２によって符号化され（たとえば、ワンタイムパッド（ＯＴＰ）暗号化またはスクランブルを受け）、次いで、符号化パリティビットがパリティリピータ４１６によってＮ回繰り返され得るように、パリティリピータ４１６の上流に配置され得る。さらに、ヘッダエンコーダ４２０またはパリティエンコーダ４２２が、信号経路のうちの１つではヘッダリピータ４１４またはパリティリピータ４１６の上流に位置し、他の信号経路ではヘッダリピータ４１４またはパリティリピータ４１６の下流に位置し得ることが理解されよう。
【００８６】
[00106]  図５に、本開示のいくつかの態様による、受信フレームのヘッダ部分を復号するための例示的な装置５００の図を示す。
【００８７】
[00107]  要約すれば、装置５００は、（１）ビットのシーケンスを生成するためにフレームのデータ変調シンボルのシーケンスを復号することと、（２）ビットの第１の（ヘッダ関連の）シーケンスと第２の（パリティ関連の）シーケンスとにビットのシーケンスを分割することと、（３）ビットのＭ個のシーケンスを生成するためにビットの第１の（ヘッダ関連の）シーケンスを復号することと、（４）ビットＮ個のシーケンスを生成するためにビットの第２の（パリティ関連の）シーケンスを復号することと、（５）ヘッダ関連の対数尤度比（ＬＬＲ：log-likelihood ratio）ビットを生成するためにビットのＭ個のシーケンスを組み合わせることと、（６）パリティ関連の対数尤度比（ＬＬＲ）ビットを生成するためにビットのＮ個のシーケンスを組み合わせることと、（７）誤り訂正デコーダのための入力データベクトルに一致させるためにヘッダ関連の対数尤度比（ＬＬＲ）ビットにビットの第１のシーケンスを付加することと、（８）ヘッダデータビットを生成するためにパリティ関連のＬＬＲビットに基づいてビットの第１のシーケンスが付加されたヘッダ関連のＬＬＲビットを復号することとを行う。
【００８８】
[00108]  特に、装置５００は、受信フレームのデータ変調シンボルのブロックまたはシーケンス（たとえば、データ変調シンボルのＦＤＥブロックまたはＦＦＴブロック）の少なくとも一部を受信するように構成された復調器５１０を含む。データ変調シンボルのシーケンスは、受信フレームのヘッダ部分に関連付けられ得る。装置４００に関して上記で説明したように、データ変調シンボルのシーケンスは、たとえば、４４８個の変調シンボルなど、ある所望のサイズのものであり得る。また、説明したように、ブロック中のデータ変調シンボルのすべてがヘッダ情報に関係する情報を含んでいるとは限らない。装置４００において説明したように、ビットの第２のシーケンスは、データ変調シンボルのブロックの所望のサイズを達成するためにビットのシーケンスに付加されていることがある。たとえば、この場合、４つの変調シンボルに対応する８ビットが追加されている。したがって、復調器５１０は、ヘッダ情報を含んでいる４４４個のデータ変調シンボルだけを受信し得、パディングされた４つの変調シンボルは破棄され得る。
【００８９】
[00109]  復調器５１０は、受信フレームのヘッダとヘッダ部分の対応するパリティデータとに関係するビットのシーケンスを生成するために変調シンボルの受信シーケンスを復調する。この例では、復調器５１０は、ビットのシーケンスを生成するために（π／２−ＱＰＳＫ復調を含む）ＱＰＳＫ復調を実行する。復調器５１０が、ＱＰＳＫよりも多いまたは少ないコンスタレーションを伴う復調など、他のタイプの復調を実行するように構成され得ることが理解されよう。この例では、変調シンボルの受信シーケンスが４４８個のシンボルの長さを有するので、復調器は、８８８ビットの長さを有するビットのシーケンスを生成する。
【００９０】
[00110]  装置５００は、復調器５１０によって生成されたビットのシーケンスを受信フレームのヘッダデータビットに関係するビットの第１のシーケンスと受信フレームの対応するパリティビットに関係するビットの第２のシーケンスとに分割するように構成されたスプリッタ（splitter）５１２をさらに含む。この例では、スプリッタ５１２は、復調器５１０によって生成されたビットのシーケンスをビットのヘッダ関連のシーケンスとビットのパリティ関連のシーケンスとにデインターリーブするように構成されたデインターリーバ（deinterleaver）であり得る。スプリッタ５１２が他のタイプのビットシーケンス分割（bit sequence splitting）を実行し得ることが理解されよう。さらに、この例によれば、ビットのヘッダ関連のシーケンスは、２１６ビット（たとえば、Ｍ×ヘッダデータビットの長さ、または詳細には、３×７２ビット）のサイズを有し得、ビットのパリティ関連のシーケンスは、６７２ビット（たとえば、Ｎ×パリティビットの長さ、または詳細には、２×３３６ビット）のサイズを有し得る。
【００９１】
[00111]  装置５００は、スプリッタ（splitter）５１２によって生成されたビットのヘッダ関連のシーケンスを復号するように構成されたヘッダデコーダ５１４をさらに含む。この例では、ヘッダデコーダ５１４は、スプリッタ５１２によって生成されたビットのヘッダ関連のシーケンスのワンタイムパッド（ＯＴＰ）解読（decryption）または逆スクランブル（descrambling）を実行し得る。ヘッダデコーダ（header decoder）５１４が、スプリッタ５１２によって生成されたビットのヘッダ関連のシーケンスの別のタイプの復号を実行し得ることが理解されよう。ヘッダデコーダ５１４は、復号されたヘッダ関連のビットのＭ個のシーケンスを生成するように構成される。この例では、スプリッタ５１２によって生成されたヘッダ関連のビットのシーケンスが２１６ビットの長さを有し、Ｍが３であるので、ヘッダデコーダ５１４は、各々が７２ビットの長さ（たとえば、装置４００によって処理されるヘッダデータビットと同じ長さ）を有する、復号されたヘッダ関連のビットの３つのシーケンスを生成する。
【００９２】
[00112]  同様に、装置５００は、スプリッタ５１２によって生成されたビットのパリティ関連のシーケンスを復号するように構成されたパリティデコーダ（parity decoder）５１６をさらに含む。この例では、パリティデコーダ５１６は、スプリッタ５１２によって生成されたビットのパリティ関連のシーケンスのワンタイムパッド（ＯＴＰ）解読または逆スクランブルを実行し得る。パリティデコーダ５１６が、スプリッタ５１２によって生成されたビットのパリティ関連のシーケンスの別のタイプの復号を実行し得ることが理解されよう。パリティデコーダ５１６は、復号されたパリティ関連のビットのＮ個のシーケンスを生成するように構成される。この例では、スプリッタ５１２によって生成されたパリティ関連のビットのシーケンスが６７２ビットの長さを有し、Ｎが２であるので、パリティデコーダ５１６は、各々が３３６ビットの長さ（たとえば、装置４００によって生成されるパリティビットと同じ長さ）を有する、復号されたパリティ関連のビットの２つのシーケンスを生成する。
【００９３】
[00113]  装置５００は、ヘッダ関連のＬＬＲビットのシーケンスを生成するためにヘッダデコーダ５１４によって生成された復号されたヘッダ関連のビットのＭ個のシーケンスを組み合わせるように構成されたヘッダコンバイナ５１８をさらに含む。ヘッダコンバイナ５１８は、シーケンスの第１のビットが一緒に組み合わされ、シーケンスの第２のビットが一緒に組み合わされ、シーケンスの最後のビットが一緒に組み合わされるまで以下同様に行われる実質的に時間整合されたビットの形でＭ個のシーケンスを組み合わせる。ヘッダコンバイナ５１８は、復号されたヘッダ関連のビットのＭ個のシーケンスの最大比合成（ＭＲＣ：maximum ratio combining）を実行し得る。ＭＲＣによれば、ヘッダ関連のビットのＭ個のシーケンスは、ヘッダ関連のＬＬＲビットの生成されたシーケンスの信号対雑音比（ＳＮＲ：signal-to-noise ratio）を実質的に最大化する形で組み合わされる。ヘッダコンバイナ５１８が、復号されたヘッダ関連のビットのＭ個のシーケンスを他の形で組み合わせ得ることが理解されよう。この例では、復号されたヘッダ関連のビットのＭ個のシーケンスの各々が７２ビットの長さを有するので、ヘッダコンバイナ５１８によって生成されたヘッダ関連のＬＬＲビットの得られたシーケンスは、同様に、７２ビットの長さを有する。
【００９４】
[00114]  同様に、装置５００は、パリティ関連のＬＬＲビットのシーケンスを生成するためにパリティデコーダ５１６によって生成された復号されたパリティ関連のビットのＮ個のシーケンスを組み合わせるように構成されたパリティコンバイナ（parity combiner）５２０をさらに含む。パリティコンバイナ５２０は、シーケンスの第１のビットが一緒に組み合わされ、シーケンスの第２のビットが一緒に組み合わされ、シーケンスの最後のビットが一緒に組み合わされるまで以下同様に行われる実質的に時間整合されたビットの形でＮ個のシーケンスを組み合わせる。パリティコンバイナ５２０は、復号されたパリティ関連のビットのＮ個のシーケンスの最大比合成（ＭＲＣ）を実行し得る。ＭＲＣによれば、パリティ関連のビットのＮ個のシーケンスは、パリティ関連のＬＬＲビットの生成されたシーケンスの信号対雑音比（ＳＮＲ）を実質的に最大化する形で組み合わされる。パリティコンバイナ５２０が、復号されたパリティ関連のビットのＮ個のシーケンスを他の形で組み合わせ得ることが理解されよう。この例では、復号されたパリティ関連のビットのＮ個のシーケンスの各々が３３６ビットの長さを有するので、パリティコンバイナ５２０によって生成されたパリティ関連のＬＬＲビットの得られたシーケンスは、同様に、３３６ビットの長さを有する。
【００９５】
[00115]  装置５００は、前に説明したように、ヘッダコンバイナ５１８によって生成されたヘッダＬＬＲビットのシーケンスを送信装置４００中の付加または連結デバイス４１０に適用されるビットの同じ第１のシーケンスでパディングすることによってビットのシーケンスを生成するように構成された付加または連結デバイス５２２をさらに備える。これは、付加または連結デバイス５２２によって生成されたビットの得られたシーケンスが誤り訂正復号のための入力データベクトルのサイズに一致するように行われる。ヘッダコンバイナ５１８によって生成されたヘッダＬＬＲビットのシーケンスの長さが誤り訂正復号のための入力データベクトルのサイズに一致する場合、装置５００は、付加または連結デバイス５２２を含む必要がないことが理解されよう。この例では、誤り訂正復号のための入力データベクトルのサイズが３３６ビットであるので、付加または連結デバイス５２２は、３３６ＬＬＲビットの得られたシーケンスを生成するためにヘッダＬＬＲビットに２６２ビットを付加する。
【００９６】
[00116]  装置５００は、パリティコンバイナ５２０によって生成されたパリティＬＬＲビットに基づいて付加または連結デバイス５２２によって生成されたＬＬＲデータビットのシーケンスを復号することによってヘッダデータビットを生成するように構成された誤り訂正デコーダ（error correction decoder）５２４をさらに含む。この例では、誤り訂正デコーダ５２４は、パリティＬＬＲビットのシーケンスに基づいてＬＬＲデータビットのシーケンスのＬＤＰＣ復号を実行する。この例では、ＬＤＰＣ復号のデータレートは１／２である。誤り訂正デコーダ５２４が、畳み込み復号、ターボ復号などの他のタイプ復号を実行し得、データレートが１／２とは異なり得ることが理解されよう。この例では、送信装置４００によって処理される元のヘッダデータビットが７２ビットの長さを有するので、誤り訂正デコーダ５２４は、７２ビットのヘッダデータビットを生成する。ヘッダデータビットは、前に説明したように、受信フレームのデータペイロード部分のさらなる復調および復号を支援するためにコントローラ２３４または２７４に与えられ得る。また、説明したように、ヘッダデータビットは、８０２．１１ａｙの下で提案された新しいフレームプロトコルのＥＤＭＧヘッダに関係し得る。
【００９７】
[00117]  図示の装置５００による受信されたヘッダ関連のビットとパリティ関連のビットとの処理が、異なる順序または形で実行され得ることが理解されよう。一例として、ヘッダデコーダ５１４は、スプリッタ５１２が符号化されたヘッダ関連のビットのＭ個のシーケンスを生成するようにヘッダコンバイナ５１８の下流に配置され得、それらは、次いで、ヘッダコンバイナ５１８によって（たとえば、ＭＲＣによって）組み合わされ、次いで、ヘッダデコーダ５１４によって（たとえば、ワンタイムパッド（ＯＴＰ）解読または逆スクランブルを受けることによって）復号されて、ヘッダＬＬＲビットのシーケンスを生成する。同様に、パリティデコーダ５１６は、スプリッタ５１２が符号化されたパリティ関連のビットのＮ個のシーケンスを生成するようにパリティコンバイナ５２０の下流に配置され得、それらは、次いで、パリティコンバイナ５２０によって（たとえば、ＭＲＣによって）組み合わされ、次いで、パリティデコーダ５１６によって（たとえば、ワンタイムパッド（ＯＴＰ）解読または逆スクランブルを受けることによって）復号されて、パリティＬＬＲビットのシーケンスを生成する。さらに、ヘッダデコーダ５１４またはパリティデコーダ５１６が、信号経路のうちの１つではヘッダコンバイナ５１８またはパリティコンバイナ５２０の下流に位置し、他の信号経路ではヘッダコンバイナ５１８またはパリティコンバイナ５２０の上流に位置し得ることが理解されよう。
【００９８】
[00118]  したがって、受信フレームのデータ変調シンボルのブロック中に埋め込まれたヘッダデータビットと対応するパリティビットとの冗長性のために、装置５００は、はるかに信頼できる方法でヘッダデータビットを生成することが可能である。さらに、装置４００を参照しながら説明したように、ヘッダデータビットとパリティビットとの冗長性は、それがデータ変調シンボルのＦＤＥブロックまたはＦＦＴブロックを実質的に十分に利用するように構成される。言い換えれば、ブロックのデータ変調シンボルの実質的にすべてが、装置５００によるヘッダデータビットの復号に寄与する。装置５００の動作は、受信プロセッサ２４２または２８２において実装され得る。
【００９９】
Ｌ−ＣＥＳとＣＥＳ−ＧＦとが同時に送信されるＯＦＤＭのためのフレームフォーマット（FRAME FORMAT FOR OFDM WITH L-CES AND CES-GF TRANSMITTED SIMULTANEOUSLY）
[00119]  図６Ａ〜図６Ｄは、本開示の一態様による、直交周波数分割多重化（ＯＦＤＭ）送信モードを介した送信のための例示的なフレーム６００、６２０、６４０、および６６０を示す。ＯＦＤＭフレームフォーマットは、後方準拠（backwards compliant）であるために、レガシー８０２．１１ａｄプリアンブル（Ｌ−ＳＴＦおよびＬ−ＣＥＳ）とＬ−ヘッダとをプレフィックス（prefix）として維持するように構成される。さらに、ＯＦＤＭフレームは、レガシープリアンブル自体に適用される必要がある、ピーク対平均電力比（ＰＡＲＰ：peak to average power ratio）を低減するための何らかのバックオフ（backoff）を用いて送信され得る。フレーム図のすべてにおいて、垂直またはｙ軸は周波数を表し、水平またはｘ軸は時間を表す。
【０１００】
[00120]  より詳細には、図６Ａを参照すると、フレーム６００は、Ｌ−ＳＴＦと、Ｌ−ＣＥＳと、Ｌ−ヘッダと、随意の添付データをもつＥＤＭＧヘッダと、ＮＧ６０（８０２．１１ａｙ）データペイロードとを含む、シングルチャネルＯＦＤＭフレームの一例である。シングルチャネルの帯域幅は、実質的に１．７６ＧＨｚであり得る。前に説明したように、Ｌ−ＳＴＦと、Ｌ−ＣＥＳと、Ｌ−ヘッダと、随意の添付データをもつＥＤＭＧヘッダとの持続時間または長さは、０．５８μｓの整数Ｋ倍など、実質的に１．１６μｓ、０．７３μｓ、０．５８μｓ、および≧０．５８μｓであり得る。図示のように、Ｌ−ＳＴＦ、Ｌ−ＣＥＳ、Ｌ−ヘッダ、ＥＤＭＧヘッダ、およびＮＧ６０データペイロードは、フレーム部分の各々間の時間ギャップなしにそのような順序で送信され得る。フレーム６００のＥＤＭＧヘッダは、前に説明した装置４００および５００のそれぞれの動作に従って符号化および復号され得る。
【０１０１】
[00121]  図６Ｂを参照すると、フレーム６２０は、提案された新しいプロトコル（８０２．１１ａｙ）による２結合チャネルＯＦＤＭフレームの一例である。フレーム６２０は、レガシープリアンブル（Ｌ−ＳＴＦおよびＬ−ＣＥＳ）と、Ｌ−ヘッダと、随意の添付データをもつＥＤＭＧヘッダとを送信するための第１の（より低い周波数）チャネル（図示のような上側チャネル）を備える。第１のチャネルは、実質的に１．７６ＧＨｚの帯域幅を有し得る。フレーム６２０は、レガシープリアンブル（Ｌ−ＳＴＦおよびＬ−ＣＥＳ）と、Ｌ−ヘッダと、ＥＤＭＧヘッダとを送信するための第２の（より高い周波数）チャネル（図示のような下側チャネル）をさらに備える。第１および第２のチャネルにおけるＬ−ＳＴＦ、Ｌ−ＣＥＳ、およびＬ−ヘッダの送信は８０２．１１ａｄ後方互換性のためである。第１のチャネルのためのＥＤＭＧヘッダに添付されたデータは、第２のチャネルのＥＤＭＧヘッダに添付されたデータとは異なり得る。第２のチャネルも、実質的に１．７６ＧＨｚの帯域幅を有する。第１のチャネルは、第２のチャネルの周波数帯域から周波数が離間された周波数帯域を含む。
【０１０２】
[00122]  さらに、フレーム６２０は、第１のチャネルの第１の周波数帯域と第２のチャネルの第２の周波数帯域との間の周波数内にある周波数帯域を有するギャップ充填（ＧＦ：gap filling）チャネルを備える。ＧＦチャネルは、実質的に４４０ＭＨｚ（０．４４ＧＨｚ）の帯域幅を有し得る。送信のための総帯域幅が３．９２ＧＨｚであるので、第１のチャネルの高い周波数部分は、２０ＭＨｚだけＧＦチャネルの低い周波数部分と重複し得る。同様に、ＧＦチャネルの高い周波数部分は、２０ＭＨｚだけ第２のチャネルの低い周波数部分と重複し得る。しかしながら、以下でより詳細に説明するように、第１のチャネルとＧＦチャネルとの間の、および第２のチャネルとＧＦチャネルとの間の重複を実質的に最小限に抑えるために、ＧＦチャネルのチャネル推定シーケンス部分はフィルタ処理によって狭くされ得る。
【０１０３】
[00123]  ＧＦチャネルは、ショートトレーニングフィールド（ＳＴＦ−ＧＦ）と、チャネル推定シーケンス（ＣＥＳ−ＧＦ）と、随意のヘッダ（ヘッダ−ＧＦ）とを備える。第１のチャネルのＬ−ＳＴＦと、ＧＦチャネルのＳＴＦ−ＧＦと、第２のチャネルのＬ−ＳＴＦとは、実質的に時間整合された様式で送信される。すなわち、第１のチャネルＬ−ＳＴＦ、ＳＴＦ−ＧＦ、および第２のチャネルＬ−ＳＴＦは、実質的に同じ長さまたは持続時間を有し得、それらは実質的に同じ時間に送信される。言い換えれば、第１のチャネルＬ−ＳＴＦと、ＳＴＦ−ＧＦと、第２のチャネルＬ−ＳＴＦとの開始および終了の送信は、実質的に時間整合される。ＳＴＦ−ＧＦはまた、ゴレイシーケンスに基づき得、また、第１および第２のチャネルＬ−ＳＴＦのゴレイシーケンスと実質的に同じまたは同様に構成され得る。第１および第２のチャネルのＬ−ＳＴＦと、ＧＦチャネルのＳＴＦ−ＧＦとは、ＡＧＣ（電力）調整および／または他の目的のために受信機によってまとめて使用され得る。
【０１０４】
[00124]  同様に、第１のチャネルのＬ−ＣＥＳと、ＧＦチャネルのＣＥＳ−ＧＦと、第２のチャネルのＬ−ＣＥＳとは、実質的に時間整合された様式で送信される。すなわち、第１のチャネルＬ−ＣＥＳ、ＣＥＳ−ＧＦ、および第２のチャネルＬ−ＣＥＳは、実質的に同じ長さまたは持続時間を有し得、それらは実質的に同じ時間に送信される。言い換えれば、第１のチャネルＬ−ＣＥＳと、ＣＥＳ−ＧＦと、第２のチャネルＬ−ＣＥＳとの開始および終了の送信は、実質的に時間整合される。
【０１０５】
[00125]  ＣＥＳ−ＧＦもゴレイシーケンスに基づき得る。シーケンスはまた、８０２．１１ａｄに従ってＬ−ＣＥＳにおいて行われるように、ＢＰＳＫ変調を使用して変調され得る。ゴレイシーケンスに基づいてＣＥＳ−ＧＦを実装するために３つのオプションがあり得る。第１のオプションは、ＣＥＳ−ＧＦがゴレイシーケンスに基づき、ゴレイシーケンスの各々が３２個のシンボルの長さを有することである。たとえば、シーケンスは、以下に再掲された８０２．１１ａｄ規格、表２１〜２８において定義されているシーケンスと同じであり得る。
【０１０６】
【表１】
2018534890.tif 000003
【０１０７】
[00126]  第２のオプションは、ＣＥＳ−ＧＦがゴレイシーケンス（Golay sequence）に基づき、ゴレイシーケンスの各々が２０個のシンボルの長さを有することである。長さ２０のゴレイシーケンスを構築するために様々なオプションがある。たとえば、長さ２０のゴレイシーケンスは、長さ１０の以下のシードから構築され得る。
シード「ａ」：［＋１＋１−１＋１−１＋１−１−１＋１＋１]およびシード「ｂ」：［＋１＋１−１＋１＋１＋１＋１＋１−１−１]、または
シード「ａ」：［＋１＋１＋１＋１＋１−１＋１−１−１＋１]およびシード「ｂ」：［＋１＋１−１−１＋１＋１＋１−１＋１−１]
シードは、［ａ，ｂ]または［ａ，−ｂ]構成を使用して長さ２０のゴレイシーケンスに変えられ得る。代替的に、ゴレイシーケンスは、次のように長さ２０のゴレイシーケンスに基づき得る。
ゴレイ２０：［＋１＋１＋１＋１−１＋１−１−１−１＋１＋１−１−１＋１＋１−１＋１−１−１＋１]、または
ゴレイ２０：［＋１＋１＋１＋１−１＋１＋１＋１＋１＋１−１−１−１＋１−１＋１−１＋１＋１−１]
[00127]  第３のオプションは、ＣＥＳ−ＧＦがゴレイシーケンスに基づき、ゴレイシーケンスの各々が２６個のシンボルの長さを有することである。たとえば、以下は、長さ２６のゴレイシーケンスの一例であり得る。
ゴレイ２６：［＋１＋１＋１＋１−１＋１＋１−１−１＋１−１＋１−１＋１−１−１＋１−１＋１＋１＋１−１−１＋１＋１＋１]、または
ゴレイ２６：［＋１＋１＋１＋１−１＋１＋１−１−１＋１−１＋１＋１＋１＋１＋１−１＋１−１−１−１＋１＋１−１−１−１]
[00128]  受信機は、第１および第２のチャネルとＧＦチャネルとに関連する周波数範囲についてのチャネル推定を決定するために、Ｌ−ＣＥＳと、ＣＥＳ−ＧＦと、Ｌ−ＣＥＳとをまとめて使用し得る。あるいは、言い換えれば、ＮＧ６０データペイロードは、第１のチャネルと、ＧＦチャネルと、第２のチャネルとの合成周波数範囲と重複するかまたはそれと実質的に同じ周波数範囲を有する周波数範囲を有する結合チャネルを介して送信されるので、受信機は、ＮＧ６０ペイロード中のデータを復号するためのチャネル推定を決定するために、Ｌ−ＣＥＳと、ＣＥＳ−ＧＦと、Ｌ−ＣＥＳをまとめて使用し得る。
【０１０８】
[00129]  フレーム６２０の残りは、それぞれ、第１および第２のチャネルのＬ−ＣＥＳシーケンスに続いて、第１および第２のチャネルを介して送信されるＬ−ヘッダを含む。ＧＦチャネルはまた、ＣＥＳ−ＧＦに続いて、ＧＦチャネルを介して送信されるヘッダ−ＧＦを含み得る。ヘッダ−ＧＦは、Ｌ−ヘッダ中で与えられる情報以外の追加情報を与えるために、場合によっては送信され得る。第１および第２のチャネルのためのＬ−ヘッダと、ヘッダ−ＧＦとは、実質的に同じ長さを有し、実質的に時間整合された様式で送信される（たとえば、ヘッダの開始および終了の送信は実質的に同じ時間に行われる）。
【０１０９】
[00130]  さらに、フレーム６２０は、対応するＬ−ヘッダに続いて、第１および第２のチャネルを介して送信されるＥＤＭＧヘッダおよび随意の添付データを含む。第１および第２のチャネルのためのＥＤＭＧヘッダは、実質的に同じ長さを有し、実質的に時間整合された様式で送信される（たとえば、ＥＤＭＧヘッダの開始および終了の送信は実質的に同じ時間に行われる）。フレーム６２０のＥＤＭＧヘッダの各々は、前に説明した装置４００および５００のそれぞれの動作に従って符号化および復号され得る。
【０１１０】
[00131]  図示のように、フレーム６２０は、第１および第２のチャネルのＥＤＭＧヘッダに続いて、結合チャネルを介して送信されるＮＧ６０（８０２．１１ａｙ）データペイロードを含む。フレーム６２０は、結合チャネルの周波数帯域がフレーム６２０の第１および第２のチャネルの周波数帯域と重複するような、２のチャネル結合の一例である。あるいは、代替的に、結合チャネルの周波数帯域の下端および上端が、それぞれ、第１のチャネルの周波数帯域の下端と、第２のチャネルの周波数帯域の上端と実質的に周波数において整合する。結合チャネルの周波数帯域はＧＦチャネルの周波数帯域をも包含するので、受信機が、結合チャネルを介して送信されたデータペイロードを復号することを円滑化するために、結合チャネルの周波数範囲についてのチャネル推定を決定または生成するために受信機によって第１および第２のチャネルのＬ−ＣＥＳとＧＦチャネルのＣＥＳ−ＧＦとが収集される。
【０１１１】
[00132]  前に説明したように、Ｌ−ヘッダとＥＤＭＧヘッダとの送信は、レガシー８０２．１１ａｄプロトコルにおいて指定されたＭＣＳを使用して送信される。別個の新しいプロトコル（８０２．１１ａｙ）ペイロード中のデータは、新しいプロトコル８０２．１１ａｙにおいて指定されたＭＣＳのうちの１つを使用して送信される。新しいプロトコルは、レガシー８０２．１１ａｄにおいて指定されたもの以外の追加のＭＣＳを含むので、８０２．１１ａｙデータペイロードは、Ｌ−ヘッダとＥＤＭＧヘッダとを送信するために使用されるＭＣＳとは異なるＭＣＳを使用して送信され得る。しかしながら、８０２．１１ａｙが、レガシー８０２．１１ａｄにおいて指定されたのと同じＭＣＳを含み得るとき、８０２．１１ａｙデータペイロードを送信するために使用されるＭＣＳは、Ｌ−ヘッダとＥＤＭＧヘッダとを送信するために使用されるＭＣＳと同じであり得ることを理解されたい。
【０１１２】
[00133]  フレーム６４０は、３のチャネル結合をもつＯＦＤＭフレームの一例である。フレーム６４０は、２のチャネル結合をもつＯＦＤＭタイプのフレーム６２０と同様であるが、第２のチャネルと第３のチャネルとの間の周波数内にある追加の第３のチャネルと追加の第２のＧＦチャネルとを含む。ＮＧ６０データペイロードは、第１のチャネル、第１のＧＦチャネル、第２のチャネル、第２のＧＦチャネル、および第３のチャネルの周波数帯域と重複する周波数帯域を有する結合チャネルを介して送信される。あるいは、代替的に、結合チャネルの周波数帯域の下端および上端が、それぞれ、第１のチャネルの周波数帯域の下端と、第３のチャネルの周波数帯域の上端と実質的に周波数において整合する。結合チャネルを介して送信されたデータペイロードの復号を円滑化するために、受信機は、結合チャネルの周波数範囲についてのチャネル推定を決定または生成するために、第１、第２、および第３のチャネルのＬ−ＣＥＳと、第１および第２のＧＦチャネルのＣＥＳ−ＧＦとを収集し得る。フレーム６４０のＥＤＭＧヘッダの各々は、前に説明した装置４００および５００のそれぞれの動作に従って符号化および復号され得る。
【０１１３】
[00134]  フレーム６６０は、４のチャネル結合をもつＯＦＤＭタイプのフレームの一例である。フレーム６６０は、３のチャネル結合をもつＯＦＤＭタイプのフレーム６４０と同様であるが、第３のチャネルと第４のチャネルとの間の周波数内にある追加の第４のチャネルと追加の第３のＧＦチャネルとを含む。ＮＧ６０データペイロードは、第１のチャネル、第１のＧＦチャネル、第２のチャネル、第２のＧＦチャネル、第３のチャネル、第３のＧＦチャネル、および第４のチャネルの周波数帯域と重複する周波数帯域を有する結合チャネルを介して送信される。あるいは、代替的に、結合チャネルの周波数帯域の下端および上端が、それぞれ、第１のチャネルの周波数帯域の下端と、第４のチャネルの周波数帯域の上端と実質的に周波数において整合する。同様に、結合チャネルを介して送信されたデータペイロードの復号を円滑化するために、受信機は、結合チャネルの周波数範囲についてのチャネル推定を決定または生成するために、第１、第２、第３、および第４のチャネルのＬ−ＣＥＳと、第１、第２、および第３のＧＦチャネルのＣＥＳ−ＧＦとを収集し得る。フレーム６６０のＥＤＭＧヘッダの各々は、前に説明した装置４００および５００のそれぞれの動作に従って符号化および復号され得る。
【０１１４】
[00135]  フレーム６００、６２０、６４０、および６６０のためのＥＤＭＧヘッダは、電力差フィールドビットが予約済みビットとして示されることを除いて、前に説明したＥＤＭＧヘッダ３５０とフォーマット的に本質的に同じである。これは、フレーム６００、６２０、６４０、および６６０が、フレームの持続時間全体にわたって実質的に均一な平均電力で送信され得るからである。
【０１１５】
[00136]  フレーム６２０、６４０、および６６０は、それぞれ、２、３、および４のチャネル結合をもつフレームの例であるが、フレームは、４よりも大きいチャネル結合をもつＯＦＤＭフレームをさらに与えるように同様の様式で構成され得ることを理解されたい。
【０１１６】
Ｌ−ヘッダとＣＥＳ−ＧＦとが同時に送信されるＯＦＤＭのためのフレームフォーマット（FRAME FORMAT FOR OFDM WITH L-HEADER AND CES-GF TRANSMITTED AT THE SAME TIME）
[00137]  図７Ａ〜図７Ｃは、本開示の別の態様による、ＯＦＤＭ送信として２つ、３つ、および４つの結合チャネルを介したデータペイロードの送信のための例示的なフレーム７００、７２０、および７４０を示す。要約すれば、１つまたは複数のギャップ充填（ＧＦ）チャネルのＣＥＳ−ＧＦが、フレーム７００、７２０、および７４０の各々において２つ以上のチャネルのＬ−ヘッダと同じに送信される。
【０１１７】
[00138]  ２のチャネル結合をもつＯＦＤＭフレーム７００を考慮すると、フレームは、Ｌ−ＳＴＦと、Ｌ−ＣＥＳと、Ｌ−ヘッダと、随意の添付データをもつＥＤＭＧヘッダとの送信のための第１の（より低い周波数）チャネルを含む。フレーム７００は、別のＬ−ＳＴＦと、Ｌ−ＣＥＳと、Ｌ−ヘッダと、随意の添付データをもつＥＤＭＧヘッダとの送信のための第２の（より高い周波数）チャネルをさらに備える。第１および第２のチャネルのＬ−ＳＴＦ、Ｌ−ＣＥＳ、Ｌ−ヘッダ、およびＥＤＭＧヘッダは、実質的に同じ送信長さを有し、実質的に時間整合された様式で送信される。第１のチャネルは第１の周波数帯域に関連し、第２のチャネルは、第１の周波数帯域とは異なるかまたはそれから離間した第２の周波数帯域に関連する。第１および第２の周波数帯域は、実質的に１．７６ＧＨｚの帯域幅をそれぞれ有する。フレーム７００のＥＤＭＧヘッダの各々は、前に説明した装置４００および５００のそれぞれの動作に従って符号化および復号され得る。
【０１１８】
[00139]  フレーム７００は、第１および第２のチャネルのそれぞれの周波数帯域間にある周波数帯域を含むギャップ充填（ＧＦ）チャネルをさらに備える。ＧＦチャネルの帯域幅は４４０ＭＨｚであり得、ここにおいて、ＧＦチャネルの下端の２０ＭＨｚは、（フレームの何らかの部分中に）第１のチャネルの上端の２０と重複し得、ＧＦチャネルの上端の２０ＭＨｚは、（フレームの何らかの部分中に）第２のチャネルの下端の２０ＭＨｚと重複し得る。フレーム７００は、ＧＦチャネルを介した送信のために、第１および第２のチャネルのＬ−ＳＴＦと実質的に同じ送信長さまたは持続時間を有し、第１および第２のチャネルのＬ−ＳＴＦと実質的に時間整合された様式で送信のために構成された、ＳＴＦ−ＧＦを含む。受信機は、第１および第２のチャネルのＬ−ＳＴＦと、ＧＦチャネルのＳＴＦ−ＧＦとを受信して、フレームの残りを受信するためにＡＧＣ（電力）調整および／または他の目的を実施し得る。
【０１１９】
[00140]  フレーム７００は、ＧＦチャネルを介した送信のためのＣＥＳ−ＧＦをさらに備える。ＣＥＳ−ＧＦはゴレイシーケンスに基づき得る。たとえば、ＣＥＳ−ＧＦはゴレイシーケンスに基づき得、ゴレイシーケンスの各々は、フレーム６２０、６４０、および６６０を参照しながら前に説明した８０２．１１ａｄ、表２１−１８において指定されているように、３２個のシンボルの長さを有する。フレーム７００は、ＣＥＳ−ＧＦの部分が、第１および第２のチャネルのＬ−ヘッダの部分と同時に送信されるように構成される。より詳細には、または代替的に、ＣＥＳ−ＧＦが実質的に０．７３μｓの長さを有し、Ｌ−ヘッダが実質的に０．５８μｓの長さをそれぞれ有するので、フレーム７００は、ＣＥＳ−ＧＦの送信が、Ｌ−ヘッダの送信が開始するわずか前に開始し、Ｌ−ヘッダの送信が終了した後に終了するように構成され得る。
【０１２０】
[00141]  ＣＥＳ−ＧＦ送信のためのフィルタ要件を簡単にするために、Ｌ−ヘッダ送信は、それぞれ、Ｌ−ヘッダとＣＥＳ−ＧＦとの間に小さい周波数ギャップを設定するために、狭窄フィルタ（narrowing filter）（または任意の同様の方法）を介して信号を受け渡すことによって周波数領域内で狭くされ得る。
【０１２１】
[00142]  フレーム７００は、結合チャネルを介した送信のためのＮＧ６０（８０２．１１ａｙ）データペイロードをさらに備える。データペイロードの送信は、第１および第２のチャネルのＥＤＭＧヘッダの送信の後に行われる。結合チャネルは、第１および第２のチャネル、ならびにＧＦチャネルの周波数帯域と重複する周波数帯域を有する。より詳細には、または代替的に、結合チャネルの周波数帯域の下端は、周波数において第１のチャネルの周波数帯域の下端と実質的に一致し、結合チャネルの周波数帯域の上端は、周波数において第２のチャネルの周波数帯域の上端と実質的に一致する。
【０１２２】
[00143]  結合チャネルの周波数帯域は、第１のチャネル、ＧＦチャネル、および第２のチャネルの合成周波数範囲（combined frequency range）と重複するかまたはそれと実質的に一致するので、受信機は、結合チャネルの周波数帯域についてのチャネル推定を決定または生成するために、第１および第２のチャネルのＬ−ＣＥＳと、ＧＦチャネルのＣＥＳ−ＧＦとを収集し得る。第１および第２のチャネルのＬ−ＣＥＳはＣＥＳ−ＧＦよりも早く送信されるので、受信機は、ＣＥＳ−ＧＦを受信するプロセスにおいてＬ−ＣＥＳに関連する情報をバッファする必要があり得る。受信機は、結合チャネルを介して送信されたデータペイロードを復号するために、結合チャネルに関連する生成されたチャネル推定を使用する。
【０１２３】
[00144]  フレーム７２０は、３のチャネル結合をもつＯＦＤＭフレームの一例である。フレーム７２０は、２のチャネル結合をもつＯＦＤＭフレーム７００のものと同様であるが、第２のチャネルと第３のチャネルとの間の周波数内にある追加の第３のチャネルと追加の第２のＧＦチャネルとを含む。ＮＧ６０データペイロードは、第１のチャネル、第１のＧＦチャネル、第２のチャネル、第２のＧＦチャネル、および第３のチャネルの周波数帯域と重複する周波数帯域を有する結合チャネルを介して送信される。あるいは、代替的に、結合チャネルの周波数帯域の下端および上端が、それぞれ、第１のチャネルの周波数帯域の下端と、第３のチャネルの周波数帯域の上端と実質的に周波数において整合する。結合チャネルを介して送信されたデータペイロードの復号を円滑化するために、受信機は、結合チャネルの周波数帯域についてのチャネル推定を決定または生成するために、第１、第２、および第３のチャネルのＬ−ＣＥＳと、第１および第２のＧＦチャネルのＣＥＳ−ＧＦとを収集し得る。フレーム７２０のＥＤＭＧヘッダの各々は、前に説明した装置４００および５００のそれぞれの動作に従って符号化および復号され得る。
【０１２４】
[00145]  フレーム７４０は、４のチャネル結合をもつＯＦＤＭフレームの一例である。フレーム７４０は、３のチャネル結合をもつＯＦＤＭフレーム７２０のものと同様であるが、第３のチャネルと第４のチャネルとの間の周波数内にある追加の第４のチャネルと追加の第３のＧＦチャネルとを含む。ＮＧ６０データペイロードは、第１のチャネル、第１のＧＦチャネル、第２のチャネル、第２のＧＦチャネル、第３のチャネル、第３のＧＦチャネル、および第４のチャネルの周波数帯域と重複する周波数帯域を有する結合チャネルを介して送信される。あるいは、代替的に、結合チャネルの周波数帯域の下端および上端が、それぞれ、第１のチャネルの周波数帯域の下端と、第４のチャネルの周波数帯域の上端と実質的に周波数において整合する。同様に、結合チャネルを介して送信されたデータペイロードの復号を円滑化するために、受信機は、結合チャネルの周波数帯域についてのチャネル推定を決定または生成するために、第１、第２、第３、および第４のチャネルのＬ−ＣＥＳと、第１、第２、および第３のＧＦチャネルのＣＥＳ−ＧＦとを収集し得る。フレーム７４０のＥＤＭＧヘッダの各々は、前に説明した装置４００および５００のそれぞれの動作に従って符号化および復号され得る。
【０１２５】
ＣＥＳ−ＧＦがデータペイロードの部分と同時に送信されるＯＦＤＭのためのフレームフォーマット（FRAME FORMAT FOR OFDM WITH CES-GF TRANSMITTED SIMULTANEIOUS WITH PORTIONS OF THE DATA PAYLOAD）
[00146]  図８Ａ〜図８Ｃは、本開示の別の態様による、ＯＦＤＭ送信として２つ、３つ、および４つの結合チャネルを介したデータペイロードの送信のための例示的なフレーム８００、８２０、および８４０を示す。要約すれば、１つまたは複数のギャップ充填（ＧＦ）チャネルのＣＥＳ−ＧＦが、フレーム８００、８２０、および８４０の各々においてＮＧ６０（８０２．１１ａｙ）データペイロードの部分と同時に送信される。
【０１２６】
[00147]  ２のチャネル結合をもつＯＦＤＭフレーム８００を考慮すると、フレームは、Ｌ−ＳＴＦと、Ｌ−ＣＥＳと、Ｌ−ヘッダと、随意の添付データをもつＥＤＭＧヘッダと、ＮＧ６０（８０２．１１ａｙ）データペイロードの一部分（たとえば、２つのＯＦＤＭシンボル）との送信のための第１の（より低い周波数）チャネルを含む。フレーム８００は、別のＬ−ＳＴＦと、Ｌ−ＣＥＳと、Ｌ−ヘッダと、随意の添付データをもつＥＤＭＧヘッダと、ＮＧ６０（８０２．１１ａｙ）データペイロードの別の部分（たとえば、２つのＯＦＤＭシンボル）との送信のための第２のチャネル（より高い周波数）をさらに備える。第１および第２のチャネルのＬ−ＳＴＦ、Ｌ−ＣＥＳ、Ｌ−ヘッダ、ＥＤＭＧヘッダ、およびＮＧ６０データペイロード部分は実質的に同じ送信長さを有し、実質的に時間整合された様式で送信される。第１のチャネルは第１の周波数帯域に関連し、第２のチャネルは、第１の周波数帯域とは異なるかまたはそれから離間した第２の周波数帯域に関連する。第１および第２の周波数帯域は、実質的に１．７６ＧＨｚの帯域幅をそれぞれ有する。フレーム８００のＥＤＭＧヘッダの各々は、前に説明した装置４００および５００のそれぞれの動作に従って符号化および復号され得る。
【０１２７】
[00148]  フレーム８００は、第１および第２のチャネルのそれぞれの周波数帯域間にある周波数帯域を含むギャップ充填（ＧＦ）チャネルをさらに備える。ＧＦチャネルの帯域幅は４４０ＭＨｚであり、ここにおいて、ＧＦチャネルの下端の２０ＭＨｚは第１のチャネルの上端の２０ＭＨｚと重複し得、ＧＦチャネルの上端の２０ＭＨｚは第２のチャネルの下端の２０ＭＨｚと重複し得る。フレーム８００は、ＧＦチャネルを介した送信のために、第１および第２のチャネルのＬ−ＳＴＦと実質的に同じ送信長さまたは持続時間を有し、第１および第２のチャネルのＬ−ＳＴＦと実質的に時間整合された様式で送信のために構成された、ＳＴＦ−ＧＦを含む。受信機は、第１および第２のチャネルのＬ−ＳＴＦと、ＧＦチャネルのＳＴＦ−ＧＦとを受信して、フレームの残りを受信するためにＡＧＣ（電力）調整を実施し得る。
【０１２８】
[00149]  フレーム８００は、ＧＦチャネルを介した送信のためのＯＦＤＭ  ＣＥＳ−ＧＦをさらに備える。ＯＦＤＭ  ＣＥＳ−ＧＦは、第１および第２のチャネルを介して送信されるＮＧ６０データペイロードの部分中に送信されるパイロット（受信機に知られる情報）を備え得る。たとえば、ＯＦＤＭ  ＣＥＳ−ＧＦは、第１および第２のチャネルを介して送信されるＮＧ６０データペイロードのＮＧ６０部分の部分の２つのＯＦＤＭデータシンボルと同時にまたは時間整合された様式で送信され得る。パイロット情報は、スペクトル／時間  パターンを回避するために所与の擬似乱数生成器（ＰＲＮＧ：pseudorandom number generator）によってランダム化され得る。結合チャネルの周波数帯域についてより正確なチャネル推定が達成され得るようにＬ−ＣＥＳエッジについても補償するために、ＣＥＳ−ＧＦの送信中のＧＦチャネルの周波数幅は、４００ＭＨｚまたはそれよりもわずかに高いべきである。第１および第２のチャネルを介したＮＧ６０データペイロードの部分（たとえば、最初の２つのＯＦＤＭシンボル）の送信中に、データは、パイロット搬送波を回避してサブキャリア中に入れられ、パイロットは、指定されたパイロットサブキャリア中に入れられる。
【０１２９】
[00150]  フレーム８００は、結合チャネルを介した送信のためのＮＧ６０（８０２．１１ａｙ）データペイロードをさらに備える。結合チャネルを介したデータペイロードの送信の後に、第１および第２のチャネルを介して送信されるＮＧ６０データペイロードの部分と、ＧＦチャネルを介して送信されるＯＦＤＭ  ＣＥＳ−ＧＦとの送信が続く。結合チャネルは、第１および第２のチャネル、ならびにＧＦチャネルの周波数帯域と重複する周波数帯域を有する。より詳細には、または代替的に、結合チャネルの周波数帯域の下端は、周波数において第１のチャネルの下端と実質的に一致し、結合チャネルの周波数帯域の上端は、周波数において第２のチャネルの上端と実質的に一致する。
【０１３０】
[00151]  結合チャネルの周波数帯域は、第１のチャネル、ＧＦチャネル、および第２のチャネルの合成周波数帯域と重複するかまたはそれと実質的に一致するので、受信機は、結合チャネルの周波数帯域についてのチャネル推定を決定または生成するために、第１および第２のチャネルのＬ−ＣＥＳと、ＧＦチャネルのＯＦＤＭ  ＣＥＳ−ＧＦとを収集し得る。第１および第２のチャネルのＬ−ＣＥＳはＯＦＤＭ  ＣＥＳ−ＧＦよりも早く送信されるので、受信機は、ＯＦＤＭ  ＣＥＳ−ＧＦを受信するプロセスにある間にＬ−ＣＥＳに関連する情報をバッファする必要があり得る。受信機は、結合チャネルを介して送信されたデータペイロードを復号するために、結合チャネルに関連する生成されたチャネル推定を使用する。
【０１３１】
[00152]  フレーム８２０は、３のチャネル結合をもつＯＦＤＭフレームの一例である。フレーム８２０は、２のチャネル結合をもつＯＦＤＭフレーム８００のものと同様であるが、第２のチャネルと第３のチャネルとの間の周波数内にある追加の第３のチャネルと追加の第２のＧＦチャネルとを含む。ＮＧ６０データペイロードは、第１のチャネル、第１のＧＦチャネル、第２のチャネル、第２のＧＦチャネル、および第３のチャネルの周波数帯域と重複する周波数帯域を有する結合チャネルを介して送信される。あるいは、代替的に、結合チャネルの周波数帯域の下端および上端が、それぞれ、第１のチャネルの周波数帯域の下端と、第３のチャネルの周波数帯域の上端と実質的に周波数において整合する。結合チャネルを介して送信されたデータペイロードの復号を円滑化するために、受信機は、結合チャネルに関連するチャネル推定を決定または生成するために、第１、第２、および第３のチャネルのＬ−ＣＥＳと、第１および第２のＧＦチャネルのＯＦＤＭ  ＣＥＳ−ＧＦとを収集し得る。フレーム８２０のＥＤＭＧヘッダの各々は、前に説明した装置４００および５００のそれぞれの動作に従って符号化および復号され得る。
【０１３２】
[00153]  フレーム８４０は、４のチャネル結合をもつＯＦＤＭフレームの一例である。フレーム８４０は、３のチャネル結合をもつＯＦＤＭフレーム８２０のものと同様であるが、第３のチャネルと第４のチャネルとの間の周波数内にある追加の第４のチャネルと追加の第３のＧＦチャネルとを含む。ＮＧ６０データペイロードは、第１のチャネル、第１のＧＦチャネル、第２のチャネル、第２のＧＦチャネル、第３のチャネル、第３のＧＦチャネル、および第４のチャネルの周波数帯域と重複する周波数帯域を有する結合チャネルを介して送信される。あるいは、代替的に、結合チャネルの周波数帯域の下端および上端が、それぞれ、第１のチャネルの周波数帯域の下端と、第４のチャネルの周波数帯域の上端と実質的に周波数において整合する。同様に、結合チャネルを介して送信されたデータペイロードの復号を円滑化するために、受信機は、結合チャネルに関連するチャネル推定を決定または生成するために、第１、第２、第３、および第４のチャネルのＬ−ＣＥＳと、第１、第２、および第３のＧＦチャネルのＯＦＤＭ  ＣＥＳ−ＧＦとを収集し得る。フレーム８４０のＥＤＭＧヘッダの各々は、前に説明した装置４００および５００のそれぞれの動作に従って符号化および復号され得る。
【０１３３】
Ｌ−ＣＥＳとＣＥＳ−ＧＦとが同時に送信されるＳＣ  ＷＢのためのフレームフォーマット（FRAME FORMAT FOR SC WB WITH L-CES AND CES-GF TRANSMITTED SIMULTANEOUSLY）
[00154]  図９Ａ〜図９Ｃは、本開示の一態様による、シングルキャリア広帯域（ＳＣ  ＷＢ）送信を介したデータの送信のための例示的なフレーム９００、９２０、および９４０を示す。フレーム９００、９２０、および７４０は、それぞれ、２のチャネル結合、３のチャネル結合、および４のチャネル結合を介してデータペイロードを送信するための例示的なフレームであり得る。ＳＣ  ＷＢフレーム９００、９２０、および９４０の構造は、それぞれ、ＯＦＤＭフレーム６２０、６４０、および６６０の構造と実質的に同じである。これは、ＳＣ  ＷＢフレームとＯＦＤＭフレームの両方の処理を簡略化するという利点を有する。
【０１３４】
[00155]  ＳＣ  ＷＢフレーム９００、９２０、および９４０と、ＯＦＤＭフレーム６２０、６４０、および６６０との間の主な違いは、データペイロードがフレーム９００、９２０、および９４０中のＳＣ  ＷＢ送信を介して送信され、データペイロードがフレーム６２０、６４０、および６６０中のＯＦＤＭ送信を介して送信されることである。他の違いは、２つ以上のチャネルのＬ−ＳＴＦ、Ｌ−ＣＥＳ、Ｌ−ヘッダ、およびＥＤＭＧヘッダ／データと、１つまたは複数のＧＦチャネルとが、図９Ｄの送信電力プロファイル図に示されているようにＮＧ６０データペイロードよりも低い電力で送信されることを伴う。前に説明したように、ＥＤＭＧヘッダおよびＬ−ヘッダは、フレームのレガシー部分とＮＧ６０部分との間の送信電力差を表すためのビットを含み得る。また、ＳＣ  ＷＢフレーム９００、９２０、および９４０のＬ−ＣＥＳは、８０２．１１ａｄプロトコルによって示される、ＯＦＤＭフレーム６２０、６４０、および６６０のＬ−ＣＥＳのゴレイシーケンスとは異なるゴレイシーケンスに基づき得る。フレーム９００、９２０、および９４０の各々のＥＤＭＧヘッダの各々は、前に説明した装置４００および５００のそれぞれの動作に従って符号化および復号され得る。
【０１３５】
Ｌ−ヘッダとＣＥＳ−ＧＦとが同時に送信されるＳＣ  ＷＢのためのフレームフォーマット（FRAME FORMAT FOR SC WB WITH L-HEADER AND CES-GF TRANSMITTED AT THE SAME TIME）
[00156]  図１０Ａ〜図１０Ｄは、本開示の一態様による、シングルキャリア広帯域（ＳＣ  ＷＢ）送信を介したデータの送信のための例示的なフレーム１０００、１０２０、および１０４０を示す。フレーム１０００、１０２０、および１０４０は、それぞれ、２のチャネル結合、３のチャネル結合、および４のチャネル結合を介してデータペイロードを送信するための例示的なフレームであり得る。ＳＣ  ＷＢフレーム１０００、１０２０、および１０４０の構造は、それぞれ、ＯＦＤＭフレーム７００、７２０、および７４０の構造と実質的に同じである。この場合も、これは、ＳＣ  ＷＢフレームとＯＦＤＭフレームの両方の処理を簡略化するために行われる。
【０１３６】
[00157]  同様に、ＳＣ  ＷＢフレーム１０００、１０２０、および１０４０と、ＯＦＤＭフレーム７００、７２０、および７４０との間の主な違いは、データペイロードがフレーム１０００、１０２０、および１０４０中のＳＣ  ＷＢ送信を介して送信され、データペイロードがフレーム７００、７２０、および７４０中のＯＦＤＭ送信を介して送信されることである。他の違いは、２つ以上のチャネルのＬ−ＳＴＦ、Ｌ−ＣＥＳ、Ｌ−ヘッダ、およびＥＤＭＧヘッダ／データと、１つまたは複数のＧＦチャネルとが、図１０Ｄの送信電力プロファイル図に示されているようにＮＧ６０データペイロードよりも低い電力で送信されることを伴う。前に説明したように、ＥＤＭＧヘッダおよびＬ−ヘッダは、フレームのレガシー部分とＮＧ６０部分との間の送信電力差を表すためのビットを含み得る。また、ＳＣ  ＷＢフレーム１０００、１０２０、および１０４０のＬ−ＣＥＳは、８０２．１１ａｄプロトコルによって示される、ＯＦＤＭフレーム７２０、７４０、および７６０のＬ−ＣＥＳのゴレイシーケンスとは異なるゴレイシーケンスに基づき得る。フレーム１０００、１０２０、および１０４０の各々のＥＤＭＧヘッダの各々は、前に説明した装置４００および５００のそれぞれの動作に従って符号化および復号され得る。
【０１３７】
ＮＧ６０  ＣＥＳをもつＳＣ  ＷＢのためのフレームフォーマット（FRAME FORMAT FOR SC WB WITH NG60 CES）
[00158]  図１１Ａ〜図１１Ｄは、本開示の一態様による、シングルキャリア広帯域（ＳＣ  ＷＢ）送信を介したデータの送信のための例示的なフレーム１１００、１１２０、および１１４０を示す。フレーム１１００、１１２０、および１１４０は、それぞれ、２のチャネル結合、３のチャネル結合、および４のチャネル結合を介してデータペイロードを送信するための例示的なフレームであり得る。フレーム９００、９２０、および９４０、ならびにフレーム１０００、１０２０、および１０４０とは異なり、フレーム１１００、１１２０、および１１４０は、ＣＥＳ−ＧＦをもつギャップ充填（ＧＦ）チャネルを含まない。代わりに、フレーム１１００、１１２０、および１１４０は、対応する結合チャネルを介した送信のためのＳＴＦとＣＥＳとを含む。
【０１３８】
[00159]  受信機は、フレームのレガシー部分を受信するために図１１Ｄに示されているようにバックオフされるかまたはより低い送信電力に基づいてＡＧＣ（電力）およびタイミング調整のためにフレームのＬ−ＳＴＦレガシー部分を使用する。受信機はまた、フレームのレガシー部分を受信するためのチャネル推定を決定または生成するためにＬ−ＣＥＳを使用する。受信機は、図１１Ｄに示されているようにフレームの８０２．１１ａｙ部分の増加した送信電力レベルに基づいてＡＧＣ（電力）およびタイミング調整のために結合チャネルのＳＴＦを使用する。受信機は、結合チャネルに関連するチャネル推定を決定および生成するために結合チャネルを介して送信されるＣＥＳを使用する。
【０１３９】
[00160]  図示のように、ＮＧ６０（８０２．１１ａｙ）送信は、存在する３つのセクション（ＳＴＦ、ＣＥＳ、および８０２．１１ａｙデータペイロード）と、随意のビームトレーニングシーケンス（beam training sequence）（ＴＲＮ）（図示せず）とを含む。ＳＴＦは、（レガシーＳＴＦの場合のように）ゴレイコード上に構築される。この期間中に、受信機は、ＡＧＣ、タイミングおよび周波数取得を完了することが予想される。ＳＴＦは、８０２．１１ａｄと同じ順序でＧａおよびＧｂを使用する。随意に、ゴレイコードは、（８０２．１１ａｄの場合のように）１２８、あるいは２５６または５１２であり得る。
【０１４０】
[00161]  ＣＥＳシーケンスはまた、８０２．１１ａｄのＣＥＳシーケンスのゴレイ構成に基づき、１２８個のシーケンスを、２つの結合チャネルの場合は２５６個のシーケンスに、３つまたは４つの結合チャネルの場合は５１２個のシーケンスに、ならびに５〜８つの結合チャネルの場合は１０２４個に置き換えるにすぎないことがある。長さ２５６、５１２および１０２４のゴレイシーケンスのフォーマットは、８０２．１１ａｄ規格からのＧａ128およびＧｂ128を使用すると次のようになる。
【０１４１】
Ｇａ256＝［Ｇａ128  Ｇｂ128]  およびＧｂ256＝［Ｇａ128  −Ｇｂ128]  
Ｇａ512＝［Ｇａ256  Ｇｂ256]  およびＧｂ512＝［Ｇａ256  −Ｇｂ256]  
Ｇａ1024＝［Ｇａ512  Ｇｂ512]  およびＧｂ1024＝［Ｇａ512  −Ｇｂ512]  
[00162]  データペイロードは、８０２．１１ａｄと同様のＭＳＣを使用して、以下の変更とともに変調される。（１）ＢＰＳＫ、ＱＰＳＫおよび１６ＱＡＭに加えて、６４ＱＡＭ、６４ＡＰＳＫ、１２８ＡＰＳＫ、２５６ＱＡＭ、２５６ＡＰＳＫなど、より高い変調が定義される（および使用され得る）。（２）ＦＦＴブロックは、（８０２．１１ａｄの場合のように）５１２、あるいは７６８、１０２４、１５３６または２０４８であり得る。および（３）ＧＩはまた、８０２．１１ａｄの場合のようにゴレイコードであり、３２、６４（８０２．１１ａｄの場合のように）、１２８または２５６など、さらなる長さのオプションがサポートされる。
【０１４２】
[00163]  前に説明したように、ビームトレーニングシーケンス（ＴＲＮ）は、すべての場合において随意である。８０２．１１ａｙセクションが使用されない場合、ＴＲＮは８０２．１１ａｄの場合と同じであることに留意されたい。８０２．１１ａｙセクションが使用されるとき、それは８０２．１１ａｙ  ＴＲＮオプションを使用する。８０２．１１ａｙ  ＴＲＮフィールドは、８０２．１１ａｄと同様の方法で構築され、ゴレイコードを２倍または４倍に増加させる（たとえば、１２８の代わりに、２５６または５１２のゴレイを使用する）ためのオプションがある。
【０１４３】
[00164]  例示的なフレーム１１００に関して、この事例は、２チャネル結合の事例のための８０２．１１ａｙの拡張である。フレーム１１００は、レガシープリアンブル（Ｌ−ＳＴＦおよびＬ−ＣＥＳ）と、Ｌ−ヘッダと、随意の添付データをもつＥＤＭＧヘッダとを送信するための第１のチャネル（図示された上側チャネル）を備える。フレーム１１００は、レガシープリアンブル（Ｌ−ＳＴＦおよびＬ−ＣＥＳ）と、Ｌ−ヘッダと、随意の添付データをもつＥＤＭＧヘッダとを送信するための第２のチャネル（図示された下側チャネル）をさらに備える。第１のチャネルのＥＤＭＧヘッダの後に来る添付データは、第２のチャネルのＥＤＭＧヘッダの後に来る添付データとは異なり得ることに留意されたい。ＥＤＭＧヘッダの情報フィールドは、前に説明したＥＤＭＧヘッダ３５０に従って構成され得る。フレーム１１００のＥＤＭＧヘッダの各々は、前に説明した装置４００および５００のそれぞれの動作に従って符号化および復号され得る。
【０１４４】
[00165]  フレーム１１００の８０２．１１ａｙセクション、すなわち結合チャネルを介して送信されるＳＴＦ、ＣＥＳ、８０２．１１ａｙペイロード、および随意のＴＲＮは、第１および第２のチャネルの周波数帯域と重複する周波数帯域を有する。前に説明したように、Ｌ−ＳＴＦ、Ｌ−ＣＥＳ、Ｌ−ヘッダ、およびＥＤＭＧヘッダの送信は、レガシー８０２．１１ａｄにおいて指定されたＭＣＳを使用し、８０２．１１ａｙ  ＳＴＦ、ＣＥＳ、およびデータペイロードの送信は、８０２．１１ａｙにおいて指定されたＭＣＳを使用し、それらの両方は異なり得る。
【０１４５】
[00166]  例示的なフレーム１１２０に関して、この事例は、３チャネル結合の事例のための８０２．１１ａｙフレームの拡張である。例示的なフレーム１１４０に関して、この事例は、４チャネル結合の事例のための８０２．１１ａｙフレームの拡張である。上記の図から、本方法は、任意の数の連続チャネルに拡張可能であることが明らかである。フレーム１１２０および１１４０の各々のＥＤＭＧヘッダの各々は、前に説明した装置４００および５００のそれぞれの動作に従って符号化および復号され得る。
【０１４６】
[00167]  局が２つ以上のチャネル上で送信するとき、その局は、最早と最後との間の最大差が１．７６ＧＨｚサンプリングレートで１つのシンボル時間を超えないという制約のみで、チャネル間でシンボル時間をどんな時間量でもシフトし得る。それは、最大差が０．５６８ナノ秒に限定されることを意味する。そのようにする主な理由は、アグリゲートされたＰＡＰＲを低減するためである。アグリゲート部分と８０２．１１ａｙ部分との間の時間同期が、第１の（最低周波数）チャネルに対して保持されるべきである。このスキュー（skew）は、ＳＣ送信に関してのみであり、ＯＦＤＭモードでは許容されないことに留意されたい。例：２チャネルモードでは、シフトは１／２シンボルであり得、ツリーチャネルでは、それは１／３および２／３シンボルであり得、４チャネルでは、それぞれ１／４、１／２および３／４シンボルであり得る。
【０１４７】
[00168]  図１１Ｄは、本開示の別の態様による、例示的なフレーム１１００、１１２０、および１１４０のいずれかのための例示的な送信電力プロファイルを示す。８０２．１１ａｙデータと、アグリゲートレガシープリアンブルおよびヘッダとの使用は、ＰＡＰＲ差および実際的ＰＡにより、異なる送信機バックオフを強いる。どんな変調方式でも、１つの送信は、エラーベクトル振幅（ＥＶＭ）および／または送信マスクを準拠したままに保つために、２つ以上のアグリゲートされた信号のために同じ変調が使用される場合よりも少ないＰＡＰＲを有する。異なる変調は異なるＰＡＰＲを有し、したがって異なるバックオフを必要とすることに留意されたい。バックオフ値は、（主にＰＡに）実装依存である。
【０１４８】
[00169]  多くの事例において８０２．１１ａｙ送信を可能な限り効率的に保つために、アグリゲーションモード（aggregation mode）で送信されるレガシーセクションはより高いバックオフを必要とする。この差は、受信機性能に影響を及ぼし得る問題である。受信機がこれを緩和するのを助けるために、１つはレガシー受信機のために、１つはターゲットにされる１１ａｙ受信機のために、２つの機構が採用され得ることが提案される。送信電力の変更は、図１１Ｄに示されているように、アグリゲート期間から８０２．１１ａｙ期間への切替えにおいてである。
【０１４９】
[00170]  ターゲットにされる８０２．１１ａｙ受信機は、通常、Ｌ−ＳＴＦの開始において受信チェーンを調整する。レガシー部分と８０２．１１ａｙ部分との間の電力変更がある場合、受信機は飽和状態に入り得る。受信機は、８０２．１１ａｙ  ＳＴＦ中にＡＧＣを調整することができるが、これは、８０２．１１ａｙ信号上の周波数および時間取得など、他のアクティビティのために割り当てられる時間を低減し得る。受信機を助けるために、ＥＤＭＧヘッダ中の電力差フィールドが電力ステップを指定する。受信機は、それを使用して所要ＡＧＣステップを予期し、したがって、８０２．１１ａｙ部分のためのＡＧＣ処理を短縮し得る。
【０１５０】
[00171]  レガシープリアンブルおよびＬ−ヘッダを受信するレガシー受信機（８０２．１１ａｄ）は、衝突回避方法（collision avoidance method）のうちの１つとしてＮＡＶを更新するためにこれらの部分を使用する。しかしながら、事例によっては、受信電力は、媒体の再利用を可能にするのに十分低いので、これらの受信機は受信電力をも見る。この事例では、電力ステップは、電力がボーダーに近い場合、受信機のいくつかを惑わせ得る。前述のように、Ｌ−ヘッダフォーマットへの更新は、電力ステップをシグナリングするためのオプションを記述する。これらのビットを復号することができるレガシー受信機は、それの電力推定を改善するためにそれに基づいて働くことができる。この機能は衝突回避システムにとって重要ではなく、レガシー受信機はそれなしに動作することができることに留意されたい。
【０１５１】
[00172]  モードは予約済みビットの多くを使用しており、（たとえば、８０２．１１ａｙモードで電力ステップをシグナリングするために）いくつかの追加のビットを有する若干の必要があるので、データ長フィールドのＬＳＢはこの目的のために使用され得る。すべての８０２．１１ａｙモードでは、レガシー長さビットは、ＮＡＶ計算のためにのみ使用される。すべてのＭＣＳのために最高４ビットを使用することによって（およびＭＳＣ−１が除外されればなお一層）、ＮＡＶ計算は影響を受けない。レガシー長さの３ＬＳＢビットは、以下の表に従って、８０２．１１ａｄ様の部分（Ｌ−ＳＴＦ、Ｌ−ＣＥＳ、Ｌ−ヘッダおよびＥＤＭＧヘッダ）と、広帯域（ＷＢ）８０２．１１ａｙ部分（追加のＳＴＦ、ＣＥＳおよび１１ａｙデータペイロード）との間の電力差をシグナリングするために使用される。
【０１５２】
【表２】
2018534890.tif 000004
【０１５３】
ショートメッセージのためのフレームフォーマット
[00173]  図１２Ａ〜図１２Ｄは、本開示の別の態様による、ショートメッセージの送信のための例示的なフレーム１２００、１２１０、１２２０、および１２３０を示す。フレーム１２００はシングルチャネルフレームの一例である。フレーム１２１０は２チャネルフレームの一例である。フレーム１２２０は３チャネルフレームの一例である。および、フレーム１２３０はシングルチャネルフレームの一例である。
【０１５４】
[00174]  フレームの各チャネルは、レガシーＬ−ＳＴＦ、Ｌ−ＣＥＳ、およびＬ−ヘッダを含む。さらに、フレームの各チャネルは、添付データをもつＥＤＭＧヘッダを含む。すべてのデータは、ＥＤＭＧヘッダに添付されたデータを介して送信されるので、フレーム１２００、１２１０、１２２０、および１２３０中にＮＧ６０（８０２．１１ａｙ）データペイロードはない。マルチチャネルフレーム１２１０、１２２０、および１２３０に関して、ＥＤＭＧヘッダ中の添付データは、すべて同じであるかまたは異なり得る。前に説明したように、添付データは、８０２．１１ａｄプロトコルにおいて指定されている複数のＭＣＳのうちの選択された１つを介して送信される。フレーム１２００、１２１０、１２２０、および１２３０の各々のＥＤＭＧヘッダの各々は、前に説明した装置４００および５００のそれぞれの動作に従って符号化および復号され得る。
【０１５５】
アグリゲートＳＣのためのフレームフォーマット（FRAME FORMAT FOR AGGREGATE SC）
[00175]  図１３Ａ〜図１３Ｄは、本開示の別の態様による、アグリゲートシングルキャリア（ＳＣ）信号の送信のための例示的なフレーム１３００、１３１０、１３２０、および１３３０を示す。アグリゲートモードでの送信は、レガシー８０２．１１ａｄチャネルのアグリゲーションである。８０２．１１ａｙは８０２．１１ａｄのモードを拡張するので、ＥＤＭＧヘッダビットが必要である。
【０１５６】
[00176]  （本明細書でさらに説明する）アグリゲートＳＣとＳＣ  ＷＢの両方のためのフレームフォーマットは、そのそれらの第１のセクション（Ｌ−ＳＴＦ、Ｌ−ＣＥＳ、Ｌ−ヘッダおよびＥＤＭＧヘッダ）中で同様であり、送信の残りとは異なる。同様の部分は、それが後方互換性特徴について８０２．１１ａｄとの後方互換性があるので、同じに保たれる。それは、レガシー（８０２．１１ａｄ）デバイスが、それを検出し、Ｌ−ヘッダを復号することが可能になることを意味する。前に説明したように、この特徴は、レガシーデバイス（legacy device）がＮＡＶを更新することを可能にし、これは衝突回避方法（collision avoidance method）の一部である。さらに、チャネル結合（ＣＢ：channel bonded）モードにおいて、Ｌ−ＳＴＦ、Ｌ−ＣＥＳ、およびＬ−ヘッダは、すべてのチャネル上のレガシーデバイスがＮＡＶを得ることを円滑化するために、すべての使用されるチャネル上で送信される。
【０１５７】
[00177]  レガシー（Ｌ−ＳＴＦ＋Ｌ−ＣＥＳ＋Ｌ−ヘッダ）およびＥＤＭＧヘッダは、アグリゲートされたチャネルにわたって同じ電力を用いて送信されるべきである。しかしながら、ＲＦ障害により、実際の実効等方放射電力（ＥＩＲＰ：effective isotropic radiated power）が異なり得る。８０２．１１ａｙ追加ヘッダ、別名「ＥＤＭＤヘッダ」も、８０２．１１ａｄチャネルにおいて送信される。前に説明したように、ＥＤＭＧヘッダは、８０２．１１ａｙ送信の一部である情報のみを含み、また、８０２．１１ａｙデータは同じシンボルにアペンドされ得る。以下の考慮事項が適用される。（１）Ｌ−ＳＴＦおよびＬ−ＣＥＳが適用される（追加のＣＥＳは不要）、（２）８０２．１１ａｄデータのためのＬ−ヘッダにおいて定義されている変調およびコーディング、（３）ショートメッセージのためのオーバーヘッドを改善するために同じシンボルにアペンドされたデータ、（４）データが、オーバーヘッドを改善するためにＣＢモードでチャネルにわたってスプリットされる、および（５）平均電力が、各チャネルにおいて同じに保たれるべきである（ＳＴＦ、ＣＥ、ヘッダおよび拡張ヘッダの電力が同じであることを意味する）。
【０１５８】
[00178]  フレーム１３００の事例は、シングルチャネル事例のための８０２．１１ａｙの拡張である。それは、８０２．１１ａｙデータペイロードおよび随意のＴＲＮのための８０２．１１ａｙの新しいＭＣＳを円滑化する。フレーム１３１０は、２チャネル事例のための８０２．１１ａｙの拡張である。フレーム１３２０は、３チャネル事例のための８０２．１１ａｙの拡張である。および、フレーム１３３０は、４チャネル事例のための８０２．１１ａｙの拡張である。ＥＤＭＧヘッダおよび添付データは、電力差ビットがないことを除いて、ＳＣ  ＷＢモードについて説明したものと同じであり、それらは「予約済みビット」に追加される。フレーム１３００、１３１０、１３２０、および１３３０の各々のＥＤＭＧヘッダの各々は、前に説明した装置４００および５００のそれぞれの動作に従って符号化および復号され得る。
【０１５９】
[00179]  アグリゲートＳＣのための３つの実装オプション、すなわち、（１）各チャネルが独立している、（２）すべてのチャネルが混合される、および（３）すべてのチャネルが並列に送信される、がある。この第１のオプションでは、各チャネルは独立している。８０２．１１ａｙセクションのためのＭＣＳは、各チャネルにおいて異なり得る。ＬＤＰＣブロックは１つのチャネルに限定され、各チャネルはそれ自体のブロックを有する。送信機はチャネルごとに異なる電力を割り当て得るが、電力は送信全体の間、固定であるものとする。この事例では、ＥＤＭＧヘッダは各チャネルにおいて異なり得る（たとえば、チャネルごとに異なるＭＣＳ）。
【０１６０】
[00180]  第２のオプションでは、すべてのチャネルは結合および混合される。８０２．１１ａｙセクションのためのＭＣＳは、すべてのチャネルについて同じである。ＬＤＰＣブロックは、チャネル間で一様に拡散される。送信機は、各チャネルの検出確率を一様にするためにチャネルごとに異なる電力を割り当て得る（および割り当てるべきである）が、電力は送信全体中に固定であるものとする。このオプションでは、ＥＤＭＧヘッダは各チャネルにおいて同じになる。
【０１６１】
[00181]  第３のオプションでは、８０２．１１ａｙ（ＮＧ６０）データペイロード中でデータを送信するためのＭＣＳは、すべてのアグリゲートチャネルについて同じである。しかしながら、各チャネルは、独立した符号化された（たとえば、ＬＤＰＣ）ブロックを有する。各チャネルは、同様であり、並列に動作する。送信機は、各チャネルの検出確率を一様にするためにチャネルごとに異なる電力を割り当て得る（および割り当てるべきである）が、電力は送信全体中に固定であるものとする。送信機は、ＬＤＰＣブロックを順次１つずつ充填し、チャネル負荷イベントを保つ。いくつかのチャネル（ただし、すべてのチャネルではない）における最後のＬＤＰＣブロックは、パディングで充填され得る。このオプションでは、ＥＤＭＧヘッダは各チャネルにおいて同じになる。
【０１６２】
[00182]  アグリゲートＳＣと同様である別の送信モードは複製ＳＣである。より詳細には、複製ＳＣでは、アグリゲートチャネルの送信は、同じデータがすべてのチャネルにおいて送信されるという特殊な制限を伴って、アグリゲートＳＣの第３の送信オプションと同じである。言い換えれば、各チャネルは他のチャネルの厳密な「コピー」である。
【０１６３】
ＭＩＭＯのためのフレームフォーマット（FRAME FORMAT FOR MIMO）
[00183]  ＭＩＭＯでは、レガシープリアンブル（Ｌ−ＳＴＦおよびＬ−ＣＥＳ）が、ＥＤＭＧヘッダとともに各送信チェーンにおいて送られる。８０２．１１ａｃと同様に、偶発的ビームフォーミングを防ぐために、すべての送信の間に遅延が挿入される。
【０１６４】
[00184]  ＭＩＭＯチャネル推定では、あまりに多くのレイテンシを引き起こすことなしに、および実質的に同じＳＮＲを保つことなしに、チャネルを推定するための様々な技法が使用され得る。第１は、シーケンス間の遅延の使用である。この遅延が３６．４ｎｓである場合、チャネル遅延は１．７６ＧＨｚにおいて６４個のサンプルよりも大きくないので、チャネル推定は受信機において分離され得る。第２は、ＰHTLTF、取られたフォーム８０２．１１ｍｃ、セクション２０．３．９．４．６を使用する複数のシーケンスの送信である。第３は、共役対正則シーケンスの送信である。フォース（forth）の技法は、８０２．１１ｍｃ中の２２．３．８．３．５において定義されているＰVHTLTFを使用する複数のシーケンスの送信である。第５は、ＭＩＭＯ推定精度を高めるためにチャネル推定の長さを増加させることである。長さを増加させることは、上記の技法（フォースの技法）を使用して、同じゴレイシーケンスを用いて行われる。このオプションは、チャネル推定の集積時間を２倍にするので、共役または遅延シーケンスの使用を回避する。
【０１６５】
ＯＦＤＭ  ＭＩＭＯのためのフレームフォーマット（FRAME FORMAT FOR OFDM MIMO）
[00185]  図１４は、本開示の一態様による、３のチャネル結合を使用するＭＩＭＯ  ＯＦＤＭ信号における３つの空間ストリームの送信のための例示的なフレーム１４００を示す。送信されるプリアンブル（Ｌ−ＳＴＦおよびＬ−ＣＥＳ）ならびにＬ−ヘッダは、それらの間に遅延を伴って送信される。２×２までのＭＩＭＯの事例では、この遅延は、ＯＦＤＭにおいてチャネル結合のＳＩＳＯチャネル推定シーケンスを適用することによってＭＩＭＯチャネルを推定するために使用される。３つ以上のストリームの場合、ＥＤＭＧヘッダシグナリングの後に来る、新しいチャネル推定シーケンスを含める必要がある。このチャネル推定シーケンスは、チャネル結合のためのフォーマットと同じフォーマットに従い、上記で手法を使用して推定に追加の次元が追加される。フレーム１４００は、３のチャネル結合と、３のＭＩＭＯとのための一例である。図示のように、複素相補シーケンス（complex complementary sequences）のゼロ相互相関ペア（zero cross-correlation pairs）を使用することによって、図示のように、ＭＩＭＯチャネルを推定するためにギャップフィラーシーケンス（gap-filler sequences）も使用され得る。フレーム１４００のＥＤＭＧヘッダの各々は、前に説明した装置４００および５００のそれぞれの動作に従って符号化および復号され得る。
【０１６６】
ＷＢ  ＳＣ  ＭＩＭＯのためのフレームフォーマット（FRAME FORMAT FOR WB SC MIMO）
[00186]  図１５Ａ〜図１５Ｃは、本開示の一態様による、ＭＩＭＯ  ＳＣ  ＷＢ信号における、２つ、４つ、および８つの空間ストリームの送信のための例示的なフレーム１５００、１５２０、および１５４０を示す。ＳＣ  ＷＢでは、送信は、８０２．１１ａｙ  ＳＴＦの開始の前と、それの後とに、２つの段に分割される。８０２．１１ａｙ  ＳＴＦの送信の前に、ＭＩＭＯ送信は、各送信チェーンが、１．７６ＧＨｚにおいて６４個のサンプルだけ遅延されたこの同じ信号を送っているように、Ｌ−ＳＴＦと、Ｌ−ＣＥＳと、Ｌ−ヘッダと、ＥＤＭＧヘッダとを含む。これは、偶発的ビームフォーミングが起こらないことを保証するために行われる。８０２．１１ａｙ  ＳＴＦフィールド中に、すべての送信アンテナは同じデータを送る。次いで、８０２．１１  ＣＥＳ時間間隔において、各アンテナは、受信機が空間チャネル全体を推定することが可能になるように、異なるシーケンスを送っている。
【０１６７】
[00187]  例示的なフレーム１５００は、２空間ストリーム、２チャネル結合のための例示的なチャネル推定である。例示的なフレーム１５２０は、４空間ストリーム、２チャネル結合のための例示的なチャネル推定である。例示的なフレーム１５４０は、８空間ストリーム、シングルチャネルのための例示的なチャネル推定である。フレーム１５００、１５２０、および１５４０のＥＤＭＧヘッダの各々は、前に説明した装置４００および５００のそれぞれの動作に従って符号化および復号され得る。
【０１６８】
アグリゲートＳＣ  ＭＩＭＯのためのフレームフォーマット（FRAME FORMAT FOR AGGREGATE SC MIMO）
[00188]  図１６Ａ〜図１６Ｂは、本開示の別の態様による、ＭＩＭＯアグリゲートＳＣ信号における２つおよび３つの空間ストリームの送信のための例示的なフレーム１６００および１６２０を示す。ＭＩＭＯアグリゲートＳＣは、ＳＣ−ＷＢモード、すなわち、上記の３つの方法と同じ技法を使用し、帯域間のギャップにおけるチャネル推定の差は、基本シーケンスが、複数回送信される８０２．１１ａｄ  ＣＥＳシーケンスであるように、送信されない（いずれにせよそれはＭＩＭＯに関係しない）。
【０１６９】
[00189]  例示的なフレーム１６００は一例であり、以下では２ＭＩＭＯを用いた２チャネルについて与えられる。その場合、ＭＩＭＯチャネル推定はレガシープリアンブルのＬ−ＣＥＳを使用して行われるので、追加のＣＥＳシーケンスを追加する必要はない。例示的なフレーム１６２０は、３ＭＩＭＯを用いた３チャネルの事例のための別の例であり、この場合、チャネルを推定するために追加のシーケンスが必要である。提案されるシーケンスは、上記のＳＣ  ＷＢのために使用されるシーケンスと同様である。フレーム１６００および１６２０のＥＤＭＧヘッダの各々は、前に説明した装置４００および５００のそれぞれの動作に従って符号化および復号され得る。
【０１７０】
[00190]  図１７は、本開示のいくつかの態様による、例示的なデバイス１７００を示す。デバイス１７００は、アクセスポイント（たとえば、アクセスポイント２１０）またはアクセス端末（たとえば、アクセス端末）において動作し、本明細書で説明する動作のうちの１つまたは複数を実施するように構成され得る。デバイス１７００は、処理システム１７２０と、処理システム１７２０に結合されたメモリ１７１０とを含む。メモリ１７１０は、処理システム１７２０によって実行されたとき、本明細書で説明する動作のうちの１つまたは複数を処理システム１７２０に実施させる命令を記憶し得る。処理システム１７２０の例示的な実装形態が以下で与えられる。デバイス１７００は、処理システム１７２０に連結された送信／受信機インターフェース１７３０をも備える。インターフェース１７３０（たとえば、インターフェースバス）は、無線周波数（ＲＦ）フロントエンド（たとえば、トランシーバ２２６−１〜２２６−Ｎ、および２６６）に処理システム１７２０をインターフェースするように構成され得る。
【０１７１】
[00191]  いくつかの態様では、処理システム１７２０は、以下のうちの１つまたは複数、すなわち、本明細書で説明する動作のうちの１つまたは複数を実施するための、送信データプロセッサ（たとえば、送信データプロセッサ２１８または２６０）、フレームビルダー（たとえば、フレームビルダー２２２または２６２）、送信プロセッサ（たとえば、送信プロセッサ２２４または２６４）および／またはコントローラ（たとえば、コントローラ２３４または２７４）を含み得る。これらの態様では、処理システム１７２０は、フレームを生成し、（たとえば、アクセスポイントまたはアクセス端末への）ワイヤレス送信のためにインターフェース１７３０を介してＲＦフロントエンド（たとえば、トランシーバ２２６−１〜２２６−Ｎまたは２６６）にフレームを出力し得る。
【０１７２】
[00192]  いくつかの態様では、処理システム１７２０は、以下のうちの１つまたは複数、すなわち、本明細書で説明する動作のうちの１つまたは複数を実施するための、受信プロセッサ（たとえば、受信プロセッサ２４２または２８２）、受信データプロセッサ（たとえば、受信データプロセッサ２４４または２８４）および／またはコントローラ（たとえば、コントローラ２３４または２７４）を含み得る。これらの態様では、処理システム１７２０は、上記で説明した態様のうちのいずれか１つまたは複数に従って、インターフェース１７３０を介してＲＦフロントエンド（たとえば、トランシーバ２２６または２６６）からフレームを受信し、フレームを処理し得る。
【０１７３】
[00193]  アクセス端末２２０の場合、デバイス１７００は、処理システム１７２０に連結されたユーザインターフェース１７４０を含み得る。ユーザインターフェース１７４０は、（たとえば、キーパッド、マウス、ジョイスティックなどを介して）ユーザからデータを受信し、処理システム１７２０にデータを与えるように構成され得る。ユーザインターフェース１７４０はまた、（たとえば、ディスプレイ、スピーカーなどを介して）処理システム１７２０からのデータをユーザに出力するように構成され得る。この場合、データは、ユーザに出力される前に、追加の処理を受け得る。アクセスポイント２１０の場合、ユーザインターフェース１７４０は省略され得る。
【０１７４】
[00194]  処理システム１７２０は、装置４００、装置５００、または装置４００および５００の両方の動作を実行し得る。装置４００に関して、処理システム１７２０は、前に詳しく説明したように、第１の付加または連結デバイス４１０、誤り訂正エンコーダ４１２、ヘッダリピータ４１４、パリティリピータ４１６、ヘッダエンコーダ４２０、パリティエンコーダ４２２、コンバイナ４２４、第２の付加または連結デバイス４２６、および変調器４２８のうちの１つまたは複数の動作を実行し得る。装置５００に関して、処理システム１７２０は、復調器５１０、スプリッタ５１２、ヘッダデコーダ５１４、パリティデコーダ５１６、ヘッダコンバイナ５１８、パリティコンバイナ５２０、付加または連結デバイス５２２、および誤り訂正デコーダ５２４のうちの１つまたは複数の動作を実行し得る。
【０１７５】
[00195]  様々な請求される「ための手段（means for）」要素に関して、送信データプロセッサ２１８、送信データプロセッサ２６０、誤り訂正エンコーダ４１２、および処理システム１７２０は、複数のデータビットを符号化するための手段を備える複数のパリティビットを生成するための手段のいくつかの例である。送信データプロセッサ２１８、送信データプロセッサ２６０、ヘッダリピータ４１４、および処理システム１７２０は、データビットのＭ回の繰返しを備えるビットの第１のシーケンスを生成するための手段のいくつかの例である。送信データプロセッサ２１８、送信データプロセッサ２６０、パリティリピータ４１６、および処理システム１７２０は、パリティビットのＮ回の繰返しを備えるビットの第２のシーケンスを生成するための手段のいくつかの例である。
【０１７６】
[00196]  送信データプロセッサ２１８、送信データプロセッサ２６０、コンバイナ４２４、および処理システム１７２０は、ビットの第１のシーケンスと第２のシーケンスとに基づいてビットの第３のシーケンスを生成するための手段のいくつかの例である。送信データプロセッサ２１８、送信データプロセッサ２６０、変調器４２８、および処理システム１７２０は、ビットの第３のシーケンスに基づいて変調シンボルのシーケンスを生成するための手段のいくつかの例である。フレームビルダー２２２、フレームビルダー２６２、および処理システム１７２０は、変調シンボルのシーケンスを備えるフレームを生成するための手段のいくつかの例である。送信プロセッサ２２４、送信プロセッサ２６４、および送信／受信インターフェース１７３０は、送信のためにフレームを出力するための手段のいくつかの例である。
【０１７７】
[00197]  送信データプロセッサ２１８、送信データプロセッサ２６０、誤り訂正エンコーダ４１２、および処理システム１７２０は、データビットの低密度パリティチェック（ＬＤＰＣ）符号化を実行するための手段のいくつかの例である。送信データプロセッサ２１８、送信データプロセッサ２６０、付加または連結デバイス４１０、および処理システム１７２０は、ビットの第５のシーケンスでデータビットを少なくともパディングすることによってビットの第４のシーケンスを生成するための手段のいくつかの例である。送信データプロセッサ２１８、送信データプロセッサ２６０、誤り訂正エンコーダ４１２、および処理システム１７２０は、ビットの第４のシーケンスを符号化するための手段のいくつかの例である。送信データプロセッサ２１８、送信データプロセッサ２６０、誤り訂正エンコーダ４１２、および処理システム１７２０は、ビットの第４のシーケンスの低密度パリティチェック（ＬＤＰＣ）符号化を実行するための手段のいくつかの例である。
【０１７８】
[00198]  送信データプロセッサ２１８、送信データプロセッサ２６０、ヘッダエンコーダ４２０、および処理システム１７２０は、ビットの第１のシーケンスを符号化するための手段を含むビットの第４のシーケンスを生成するための手段のいくつかの例である。送信データプロセッサ２１８、送信データプロセッサ２６０、ヘッダエンコーダ４２０、および処理システム１７２０は、ビットの第１のシーケンスのワンタイムパッド暗号化（one-time pad encryption）を実行するための手段のいくつかの例である。
【０１７９】
[00199]  送信データプロセッサ２１８、送信データプロセッサ２６０、パリティエンコーダ４２２、および処理システム１７２０は、ビットの第２のシーケンスを符号化することによってビットの第４のシーケンスを生成するための手段のいくつかの例である。送信データプロセッサ２１８、送信データプロセッサ２６０、パリティエンコーダ４２２、および処理システム１７２０は、ビットの第２のシーケンスのワンタイムパッド暗号化を実行するための手段のいくつかの例である。
【０１８０】
[00200]  送信データプロセッサ２１８、送信データプロセッサ２６０、コンバイナ４２４、および処理システム１７２０は、ビットの第２のシーケンスでビットの第１のシーケンスをインターリーブするための手段のいくつかの例である。送信データプロセッサ２１８、送信データプロセッサ２６０、ヘッダエンコーダ４２０、および処理システム１７２０は、ビットの第４のシーケンスを生成するためにビットの第１のシーケンスを符号化するための手段のいくつかの例である。送信データプロセッサ２１８、送信データプロセッサ２６０、パリティエンコーダ４２２、および処理システム１７２０は、ビットの第５のシーケンスを生成するためにビットの第２のシーケンスを符号化するための手段のいくつかの例である。送信データプロセッサ２１８、送信データプロセッサ２６０、コンバイナ４２４、および処理システム１７２０は、ビットの第４のシーケンスと第５のシーケンスとをインターリーブするための手段のための手段のいくつかの例である。
【０１８１】
[00201]  送信データプロセッサ２１８、送信データプロセッサ２６０、付加または連結デバイス４２６、および処理システム１７２０は、ビットの第７のシーケンスでビットの第６のシーケンスをパディングするための手段のいくつかの例である。送信データプロセッサ２１８、送信データプロセッサ２６０、変調器４２８、および処理システム１７２０は、ビットの第３のシーケンスの４位相シフトキーイング（ＱＰＳＫ）変調を実行するための手段のいくつかの例である。
【０１８２】
[00202]  受信プロセッサ２４２、受信プロセッサ２８２、および処理システム１７２０は、変調シンボルのシーケンスを備えるフレームを受信するための手段のいくつかの例である。受信プロセッサ２４２、受信プロセッサ２８２、復調器５１０、および処理システム１７２０は、変調シンボルのシーケンスに基づいてビットの第１のシーケンスを生成するための手段のいくつかの例である。受信プロセッサ２４２、受信プロセッサ２８２、ヘッダデコーダ５１４、および処理システム１７２０は、ビットの第１のシーケンスに基づいてビットのＭ個のシーケンスを生成するための手段のいくつかの例である。受信プロセッサ２４２、受信プロセッサ２８２、パリティデコーダ５１６、および処理システム１７２０は、ビットの第１のシーケンスに基づいてビットのＮ個のシーケンスを生成するための手段のいくつかの例である。
【０１８３】
[00203]  受信プロセッサ２４２、受信プロセッサ２８２、ヘッダコンバイナ５１８、および処理システム１７２０は、ビットのＭ個のシーケンスを組み合わせるための手段を含むビットの第２のシーケンスを生成するための手段のいくつかの例である。受信プロセッサ２４２、受信プロセッサ２８２、パリティコンバイナ５２０、および処理システム１７２０は、ビットのＮ個のシーケンスを組み合わせるための手段を含むビットの第３のシーケンスを生成するための手段を含むビットの第２のシーケンスを生成するための手段のいくつかの例である。受信プロセッサ２４２、受信プロセッサ２８２、誤り訂正デコーダ５２４、および処理システム１７２０は、ビットの第３のシーケンスに少なくとも基づいてビットの第２のシーケンスを少なくとも復号することによってデータビットを生成するための手段のいくつかの例である。
【０１８４】
[00204]  受信プロセッサ２４２、受信プロセッサ２８２、復調器５１０、および処理システム１７２０は、変調シンボルのシーケンスを復調するための手段のいくつかの例である。受信プロセッサ２４２、受信プロセッサ２８２、復調器５１０、および処理システム１７２０は、変調シンボルのシーケンスの４位相シフトキーイング（ＱＰＳＫ）復調を実行するための手段のいくつかの例である。受信プロセッサ２４２、受信プロセッサ２８２、スプリッタ５１２、および処理システム１７２０は、ビットの第１のシーケンスをデインターリーブ（de-interleave）することによってビットの第４のシーケンスとビットの第５のシーケンスとを生成するための手段のいくつかの例である。
【０１８５】
[00205]  受信プロセッサ２４２、受信プロセッサ２８２、ヘッダデコーダ５１４、および処理システム１７２０は、ビットの第４のシーケンスを復号するための手段のいくつかの例である。受信プロセッサ２４２、受信プロセッサ２８２、ヘッダデコーダ５１４、および処理システム１７２０は、ビットの第４のシーケンスのワンタイムパッド解読を実行するための手段のいくつかの例である。受信プロセッサ２４２、受信プロセッサ２８２、パリティデコーダ５１６、および処理システム１７２０は、ビットの第５のシーケンスを復号するための手段のいくつかの例である。受信プロセッサ２４２、受信プロセッサ２８２、パリティデコーダ５１６、および処理システム１７２０は、ビットの第５のシーケンスのワンタイムパッド解読を実行するための手段のいくつかの例である。
【０１８６】
[00206]  受信プロセッサ２４２、受信プロセッサ２８２、ヘッダコンバイナ５１８、および処理システム１７２０は、ビットのＭ個のシーケンスの最大比合成（ＭＲＣ）を実行するための手段のいくつかの例である。受信プロセッサ２４２、受信プロセッサ２８２、パリティコンバイナ５２０、および処理システム１７２０は、ビットのＮ個のシーケンスの最大比合成（ＭＲＣ）を実行するための手段のいくつかの例である。
【０１８７】
[00207]  受信プロセッサ２４２、受信プロセッサ２８２、付加または連結デバイス５２２、および処理システム１７２０は、ビットの第２のシーケンスにビットの第５のシーケンスを付加するための手段を含むビットの第４のシーケンスを生成するための手段のいくつかの例である。受信プロセッサ２４２、受信プロセッサ２８２、誤り訂正デコーダ５２４、および処理システム１７２０は、ビットの第３のシーケンスに基づいてビットの第４のシーケンスを復号するための手段のいくつかの例である。受信プロセッサ２４２、受信プロセッサ２８２、誤り訂正デコーダ５２４、および処理システム１７２０は、ビットの第２のシーケンスの低密度パリティチェック（ＬＤＰＣ）復号を実行するための手段のいくつかの例である。
【０１８８】
[00208]  上記で説明した方法の様々な動作は、対応する機能を実施することが可能な任意の好適な手段によって実施され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【０１８９】
[00209]  いくつかの場合には、フレームを実際に送信するのではなく、デバイスは、送信のためにフレームを出力するためのインターフェース（出力するための手段）を有し得る。たとえば、プロセッサは、バスインターフェースを介して、送信のために無線周波数（ＲＦ）フロントエンドにフレームを出力し得る。同様に、フレームを実際に受信するのではなく、デバイスは、別のデバイスから受信されたフレームを取得するためのインターフェース（取得するための手段）を有し得る。たとえば、プロセッサは、バスインターフェースを介して、受信のためにＲＦフロントエンドからフレームを取得（または受信）し得る。
【０１９０】
[00210]  本明細書で使用される「決定すること（determining）」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０１９１】
[00211]  本明細書で使用される、項目のリスト「のうちの少なくとも１つ（at least one of）」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１９２】
[00212]  本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１９３】
[00213]  本明細書で説明した処理は、上記で説明した任意のデジタル手段、およびまたは任意のアナログ手段もしくは回路によって実施され得ることを理解されたい。
【０１９４】
[00214]  本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に存在し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多くの命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに連結され得る。代替として、記憶媒体はプロセッサと一体であり得る。
【０１９５】
[00215]  本明細書で開示する方法は、説明した方法を達成するための１つまたは複数のステップまたは行為を備える。方法のステップおよび／または行為は、特許請求の範囲から逸脱することなく、互いに交換され得る。言い換えれば、ステップまたは行為の特定の順序が指定されていない限り、特定のステップおよび／または行為の順序および／または使用は、特許請求の範囲から逸脱することなく変更され得る。
【０１９６】
[00216]  説明した機能は、ハードウェア、ソフトウェア、ファームウェア、またはそれらの任意の組合せで実装され得る。ハードウェアで実装される場合、例示的なハードウェア構成は、ワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。レガシーユーザデバイス１０６、更新されたレガシーユーザデバイス１０８、または新しいプロトコルユーザデバイス１１０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路にリンクし得るが、それらは当技術分野でよく知られており、したがってこれ以上説明しない。
【０１９７】
[00217]  プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【０１９８】
[00218]  ハードウェア実装形態では、機械可読媒体は、プロセッサとは別個の処理システムの一部であり得る。しかしながら、当業者なら容易に諒解するように、機械可読媒体またはそれの任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加で、機械可読媒体またはそれの任意の部分は、キャッシュおよび／または汎用レジスタファイルがそうであり得るように、プロセッサに統合され得る。
【０１９９】
[00219]  処理システムは、すべて外部バスアーキテクチャを介して他のサポート回路と互いにリンクされる、プロセッサ機能を提供する１つまたは複数のマイクロプロセッサと、機械可読媒体の少なくとも一部分を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実施することができる回路の任意の組合せを用いて、実装され得る。当業者は、特定の適用例と、全体的なシステムに課される全体的な設計制約とに応じて、処理システムについて説明した機能を最適に実装する方法を理解されよう。
【０２００】
[00220]  機械可読媒体はいくつかのソフトウェアモジュールを備え得る。ソフトウェアモジュールは、プロセッサによって実行されたとき、処理システムに様々な機能を実施させる命令を含む。ソフトウェアモジュールは、送信モジュールと受信モジュールとを含み得る。各ソフトウェアモジュールは、単一のストレージデバイス中に存在するか、または複数のストレージデバイスにわたって分散され得る。例として、トリガイベントが発生したとき、ソフトウェアモジュールがハードドライブからＲＡＭにロードされ得る。ソフトウェアモジュールの実行中に、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによって実装されることが理解されよう。
【０２０１】
[00221]  ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの移転を円滑化する任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するために使用され得、コンピュータによってアクセスされ得る任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は、一時的コンピュータ可読媒体（たとえば、信号）を備え得る。上記の組合せもコンピュータ可読媒体の範囲内に含まれるべきである。
【０２０２】
[00222]  したがって、いくつかの態様は、本明細書で提示された動作を実施するためのコンピュータプログラム製品を備え得る。たとえば、そのようなコンピュータプログラム製品は、本明細書で説明した動作を実施するために１つまたは複数のプロセッサによって実行可能な命令を記憶した（および／または符号化した）コンピュータ可読媒体を備え得る。いくつかの態様では、コンピュータプログラム製品はパッケージング材料を含み得る。
【０２０３】
[00223]  さらに、本明細書で説明した方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実施するための手段の転送を円滑化するためにサーバに連結され得る。代替的に、本明細書で説明した様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに連結するかまたは与えると様々な方法を得ることができるように、記憶手段によって提供され得る。その上、本明細書で説明した方法および技法をデバイスに与えるための任意の他の好適な技法が利用され得る。
【０２０４】
[00224]  特許請求の範囲は、上記に示された厳密な構成および構成要素に限定されないことを理解されたい。上記で説明した方法および装置の構成、動作および詳細において、特許請求の範囲から逸脱することなく、様々な改変、変更および変形が行われ得る。
【図１】
2018534890.tif 000005
【図２】
2018534890.tif 000006
【図３Ａ】
2018534890.tif 000007
【図３Ｂ】
2018534890.tif 000008
【図４】
2018534890.tif 000009
【図５】
2018534890.tif 000010
【図６Ａ】
2018534890.tif 000011
【図６Ｂ】
2018534890.tif 000012
【図６Ｃ】
2018534890.tif 000013
【図６Ｄ】
2018534890.tif 000014
【図７Ａ】
2018534890.tif 000015
【図７Ｂ】
2018534890.tif 000016
【図７Ｃ】
2018534890.tif 000017
【図８Ａ】
2018534890.tif 000018
【図８Ｂ】
2018534890.tif 000019
【図８Ｃ】
2018534890.tif 000020
【図９】
2018534890.tif 000021
【図１０】
2018534890.tif 000022
【図１１】
2018534890.tif 000023
【図１２Ａ】
2018534890.tif 000024
【図１２Ｂ】
2018534890.tif 000025
【図１２Ｃ】
2018534890.tif 000026
【図１２Ｄ】
2018534890.tif 000027
【図１３Ａ】
2018534890.tif 000028
【図１３Ｂ】
2018534890.tif 000029
【図１３Ｃ】
2018534890.tif 000030
【図１３Ｄ】
2018534890.tif 000031
【図１４】
2018534890.tif 000032
【図１５Ａ】
2018534890.tif 000033
【図１５Ｂ】
2018534890.tif 000034
【図１５Ｃ】
2018534890.tif 000035
【図１６Ａ】
2018534890.tif 000036
【図１６Ｂ】
2018534890.tif 000037
【図１７】
2018534890.tif 000038
【国際調査報告】
2018534890.tif 000039
2018534890.tif 000040
2018534890.tif 000041
2018534890.tif 000042